(57)【要約】【課題】商品コードの読み取り作業と重量計量作業との繰り返し作業の効率化を図る。【解決手段】商品コード読取部（バーコードスキャナ２０３）等や表示部（ＬＣＤ２１０）等のユーザインターフェースを顧客による操作と顧客への情報提供とが可能な位置に配置して顧客によるセルフチェックアウトを可能にする決済端末２０１と、商品コード読み取り後の商品を載置するための載置台３０３ａに載置された商品の重量を計量する秤装置３０１とを備え、秤装置３０１での計量結果に基づいて重量チェックをする構成を前提とし、商品コードが読み取られた第１のタイミングと商品コード読み取り後の商品が秤装置３０１の載置台３０３ａへ載置された第２のタイミングとの双方のタイミングで、音響発生部に確認音を発生させる。【選択図】図３
2007323419.tif 000002
【特許請求の範囲】
【請求項１】
商品コード読取部と表示部と入力部と決済部とを含むユーザインターフェースを顧客による操作と顧客への情報提供とが可能な位置に配置し、顧客によるセルフチェックアウトを可能にする決済端末と、
前記商品コード読取部で商品コード読み取り後の商品を載置するための載置部を備え、当該載置部に載置された商品の重量を計量し、計量した重量値を前記決済端末に送信する秤装置と、
前記決済端末の情報処理部からの指示信号に応じて確認音を発生する音響発生部と、
前記決済端末の情報処理部が、前記商品コード読取部によって商品コードが読み取られた場合、個々の商品コードに対応させて単価を記憶する商品データファイルから対応する単価を検索する検索処理を実行する手段と、
前記決済端末の情報処理部が、前記商品コード読取部による商品コード読取後に前記秤装置によって計量された重量が当該商品の重量と同一性を有しているかどうかを判定する重量チェック処理を実行する手段と、
前記決済端末の情報処理部が、前記重量チェック処理の結果、重量間の同一性があるとの判定結果を得た場合、前記商品コード読取部によって読み取られた商品コードと前記検索処理によって取得した単価とを含む商品情報を記憶部に記憶させる商品情報登録処理を実行する手段と、
前記決済端末の情報処理部が、前記商品コード読取部により商品コードが読み取られた第１のタイミングと前記商品コード読取部で商品コード読み取り後の商品が前記載置部へ載置された第２のタイミングとの双方のタイミングで前記音響発生部に確認音を発生させる指示信号を出力する手段と、
を備えるセルフチェックアウト装置。
【請求項２】
前記決済端末の情報処理部は、
前記検索処理として、個々の商品コードに対応させて重量を記憶する商品データファイルから対応する重量を検索し、
前記重量チェック処理として、前記検索された重量と前記秤装置によって計量された重量との同一性を判定する、
請求項１記載のセルフチェックアウト装置。
【請求項３】
前記商品コード読取部で商品コード読み取り前の商品を載置するための最初の載置部を備え、当該最初の載置部に載置された商品の重量を計量し、計量した重量値を前記決済端末に送信する最初の秤装置を備え、
前記決済端末の情報処理部は、前記重量チェック処理として、前記最初の秤装置によって計量された重量と前記秤装置によって計量された重量との同一性を判定する、
請求項１記載のセルフチェックアウト装置。
【請求項４】
前記第２のタイミングは、前記商品コード読取部による商品コード読取後に前記秤装置から送信される重量値に変化が生じたタイミングである、請求項１ないし３のいずれか一記載のセルフチェックアウト装置。
【請求項５】
前記第２のタイミングは、前記重量チェック処理によって重量の同一性が確認されたタイミングである、請求項１ないし３のいずれか一記載のセルフチェックアウト装置。
【請求項６】
前記決済端末の情報処理部が、前記商品コード読取部によって商品コードが読み取られた商品が軽量すぎて重量チェックをスキップする商品として前記商品データファイルに定義されている場合、前記重量チェック処理をスキップし、前記第２のタイミングでの確認音を発生させる指示信号の出力をスキップする、請求項１ないし５のいずれか一記載のセルフチェックアウト装置。
【請求項７】
前記決済端末の情報処理部が、前記商品コード読取部によって商品コードが読み取られた商品が軽量すぎて重量チェックをスキップする商品として前記商品データファイルに定義されている場合、前記重量チェック処理をスキップする、請求項４記載のセルフチェックアウト装置。
【請求項８】
前記決済端末の情報処理部が、前記商品コード読取部によって商品コードを読み取らせないプリセット商品を前記入力部によって指定可能に前記表示部に表示し、当該指定があった場合には、前記秤装置の出力に基づいて前記載置部に商品が載置されたかどうかを判定する第２の重量チェック処理を実行する手段を備える、請求項１ないし７のいずれか一記載のセルフチェックアウト装置。
【請求項９】
前記第２の重量チェック処理が実行される場合には、前記入力部によるプリセット商品指定後に前記秤装置から送信される重量値に変化が生じたタイミングを前記第２のタイミングとして確認音を発生させる指示信号を出力する、請求項８記載のセルフチェックアウト装置。
【請求項１０】
前記音響発生部における前記第１のタイミングでの指示信号に基づく確認音と前記第２のタイミングでの指示信号に基づく確認音との二種類の確認音は、識別可能な態様で鳴動させられる、請求項１ないし９のいずれか一記載のセルフチェックアウト装置。
【発明の詳細な説明】
【技術分野】
【０００１】
本発明は、顧客によるセルフチェックアウトを可能にするセルフチェックアウト装置に関する。
【背景技術】
【０００２】
近年、商品販売データ処理を実行するための各種ユーザインターフェースを顧客による操作と顧客への情報提供と顧客へのレシート発行とが可能な位置に配置し、顧客によるセルフチェックアウトを可能にしたセルフチェックアウト装置の開発が進められている（特許文献１）。各種ユーザインターフェースとしては、例えばバーコードリーダ等のような商品コード読取部、情報を表示する表示部、情報を入力する入力部、例えば硬貨及び紙幣の入出金装置のような決済を可能とする決済部、及びレシートプリンタ等が用意される。
【０００３】
また、セルフチェックアウト装置では、不正行為を防止するために、顧客が持ち帰ることができる商品を、商品コード読取部で商品コードを読み取られた商品、換言すると、商品販売データ処理の対象となる購入商品だけに限るようにするための対策が必要となる。そのための対策として、例えば特許文献２に記載されているように、商品コード読取部で商品コードを読み取られた商品の重量をチェックし、不正行為を防止するようにした発明がなされている。重量チェックの手法として、特許文献２に記載されているのは、商品コード読取部で読み取った商品コードに基づいてＰＬＵファイルから当該商品の重量データを取得し、商品コードを読み取った後の商品の重量を計量し、重量データによって特定される重量と実際に計量された重量との同一性をもって重量チェックを行なう、という手法である。
【０００４】
【特許文献１】特開２００４−０８６７２８公報
【特許文献２】特開平０８−０８０６７９号公報
【発明の開示】
【発明が解決しようとする課題】
【０００５】
セルフチェックアウト装置の基本操作は、商品コード読取部（例えばバーコードスキャナ）での商品コード（例えばバーコード）の読み取りと商品コード読み取り後の商品の重量計量とを繰返し、決済操作をする、というものである。重量計量に際して求められる操作は、一例として、秤装置が有する秤皿への商品の載置である。このため、ユーザは、商品コードの読み取り作業と重量計量作業とを繰り返すことになる。
【０００６】
ユーザがセルフチェックアウト装置の使用に慣れないうちは、一つ一つの操作が慎重に行われることが予想される。これに対して、慣れが生ずると、商品コードの読み取り作業と重量計量作業との繰返しが、一つの流れ作業のようになってくるはずである。このような「慣れ」を原因として生ずる変化について、意識と行動とに分けて考察する。ここでいう「意識」は、正しい操作を行なうためにどのような操作をなすべきかを考える人間の頭脳活動を意味する。また、ここでいう「行動」は、そのような意識の結果として肉体運動を生じさせる人間の頭脳活動を意味する。
【０００７】
一般論として、機械操作に際して「慣れ」が生ずる前の段階では、「意識」の領域の頭脳活動が活発であり、「行動」の領域の頭脳活動は後から付いてくる。これに対して、「慣れ」が生じてくるに従い、「行動」の領域の頭脳活動が活発化してくる。「慣れ」が進むほど、「意識」の領域の頭脳活動が殆ど行われないうちに「行動」の領域の頭脳活動が行なわれる傾向が生ずる。このような傾向は、流れ作業が行なわれる場合に顕著である。その結果、「行動」が反射的になってくる。つまり、手が勝手に動くような状態である。「行動」が反射的になることは、一面では、操作ミスを誘発し易いという不利益を生じさせる反面、操作の効率化を増長させるという利益を生じさせることに貢献する。このため、楽観的な視点に立てば、「行動」が反射的になることは、むしろ歓迎すべきこととして捉えることができる。
【０００８】
このような「意識」と「行動」との関係をセルフチェックアウト装置の操作に当てはめて考えると、「慣れ」を原因として、ユーザの頭脳活動の比重が「意識」から「行動」に遷移し、その「行動」が反射的になることで、手が勝手に動いて商品コードの読み取り作業と重量計量作業とを繰り返す状態となることが予想される。これを歓迎するとの立場に立つならば、「行動」が反射的になることを支援するための仕組みをセルフチェックアウト装置に組み込むことが望ましい。
【０００９】
本発明の目的は、商品コードの読み取り作業と重量計量作業との繰り返し作業の効率化を図ることである。
【課題を解決するための手段】
【００１０】
本発明のセルフチェックアウト装置は、商品コード読取部と表示部と入力部と決済部とを含むユーザインターフェースを顧客による操作と顧客への情報提供とが可能な位置に配置し、顧客によるセルフチェックアウトを可能にする決済端末と、前記商品コード読取部で商品コード読み取り後の商品を載置するための載置部を備え、当該載置部に載置された商品の重量を計量し、計量した重量値を前記決済端末に送信する秤装置と、前記決済端末の情報処理部からの指示信号に応じて確認音を発生する音響発生部と、を備え、前記決済端末の情報処理部が、（１）前記商品コード読取部によって商品コードが読み取られた場合、個々の商品コードに対応させて単価を記憶する商品データファイルから対応する単価を検索する検索処理を実行し、（２）前記商品コード読取部による商品コード読取後に前記秤装置によって計量された重量が当該商品の重量と同一性を有しているかどうかを判定する重量チェック処理を実行し、（３）前記重量チェック処理の結果、重量間の同一性があるとの判定結果を得た場合、前記商品コード読取部によって読み取られた商品コードと前記検索処理によって取得した単価とを含む商品情報を記憶部に記憶させる商品情報登録処理を実行し、（４）前記商品コード読取部により商品コードが読み取られた第１のタイミングと前記商品コード読取部で商品コード読み取り後の商品が前記載置部へ載置された第２のタイミングとの双方のタイミングで前記音響発生部に確認音を発生させる指示信号を出力する。
【発明の効果】
【００１１】
本発明によれば、第１のタイミングと第２のタイミングとの双方のタイミングで音響発生部に確認音を発生させることができるので、商品コードの読み取り作業と重量計量作業との繰り返し作業をリズミカルなものとすることを支援することができ、そのような繰り返し作業の反射化を促してその効率化を図ることができる。
【発明を実施するための最良の形態】
【００１２】
本発明の実施の一形態を図１ないし図２７に基づいて説明する。
【００１３】
本実施の形態の説明は、次の項目に沿ってなされる。
【００１４】
１．システム構成
（１）システム構成の概要
（２）セルフチェックアウト端末
（３）アテンダント端末
２．セルフチェックアウト処理
（１）セルフチェックアウト処理の基本的ルーチン
（２）セルフチェックアウト処理時の画面遷移
（３）重量チェック処理
（一）基本処理
（二）重量チェックエラー
（三）重量チェック処理のスキップ
（４）画面入力による商品情報登録
（５）パック詰め商品の商品情報登録
（一）パック詰め商品の入力手法
（二）第２の重量チェック処理
（６）中止指定
（７）呼出指定
（８）組合せ割引（セット割引）
（９）決済
（１０）チェッカーモード
以下、上記項目の順に説明する。
１．システム構成
（１）システム構成の概要
図１は、全体のシステム構成を示す模式図である。本実施の形態のシステムは、複数のセルフチェックアウトシステム１１と、複数台のＰＯＳ端末２１と、ストアコントローラ３１とが通信ネットワーク４１を介して接続されて構築されている。
【００１５】
セルフチェックアウトシステム１１は、複数台のセルフチェックアウト装置１０１に一台のアテンダント端末５０１が割り当てられて構成されている。セルフチェックアウト装置１０１は、決済端末２０１と秤装置３０１とから構成されている。
【００１６】
図２は、セルフチェックアウトシステム１１での各部の配置状態を示す平面図である。本実施の形態のセルフチェックアウトシステム１１は、四台のセルフチェックアウト装置１０１に対して一台のアテンダント端末５０１が割り当てられている。セルフチェックアウト装置１０１は、一対のセルフチェックアウト装置１０１が顧客通路１２１に沿って平行に並べられ、これらの一対のセルフチェックアウト装置１０１が顧客通路１２１を介して正面側を対面させるように配置されている。
【００１７】
顧客通路１２１の突き当りにはアテンダント端末５０１が配置されている。アテンダント端末５０１は、その外観上、本体部５０２と表示部としてのディスプレイ５０３とキーボード５０４と操作部としてのポインティングデバイス５０５とを有するパーソナルコンピュータ形態を有しており、アテンダントテーブル６０１に載置されている。
【００１８】
顧客は、顧客通路１２１を通ってどのセルフチェックアウト装置１０１に対してもアクセス可能となっている。例えば、図２中の右上方、顧客から見ると進行方向左奥側に位置するセルフチェックアウト装置１０１を使用しようとする場合、顧客通路１２１を通ってそのセルフチェックアウト装置１０１の前に立ち、セルフチェックアウトの終了後にはアテンダントテーブル６０１の前で左側又は右側に回りこんで立ち去ることになる。
（２）セルフチェックアウト端末
図３は、セルフチェックアウト装置１０１を示す斜視図である。セルフチェックアウト装置１０１は、決済端末２０１と秤装置３０１とから構成されている。
【００１９】
決済端末２０１は、顧客が購入しようとする商品を入れた籠（図示せず）を載置するための商品籠載置台１０２が左脇から突出したハウジング２０２を有している。商品籠載置台１０２の上面には、籠を位置決めするための突部１０３がＬ字形状に突出形成されている。
【００２０】
決済端末２０１のハウジング２０２は、床面に設置されるベースハウジング２０２ａと、このベースハウジング２０２ａの上面に載置される小振りな上部ハウジング２０２ｂとによって構成されている。ベースハウジング２０２ａの前面は、下方に向かうほどベースハウジング２０２ａの投影面積を狭めるように傾斜している。これにより、ベースハウジング２０２ａは、下方に向かうほど奥側にオフセットした形状となっている。
【００２１】
上部ハウジング２０２ｂには、各種ユーザインターフェースが設けられている。つまり、上部ハウジング２０２ｂには、左側に商品コード読取部としてのバーコードスキャナ２０３が配置され、右側にプリンタカバー２０４及び監視カメラ２０５が配置され、これらのバーコードスキャナ２０３とプリンタカバー２０４及び監視カメラ２０５の間には決済部としてのカード読取部２０６及びテンキー２０７が配置されている。バーコードスキャナ２０３は、商品に付された商品コードを読み取る商品コード読取部として機能する縦型スキャナである。プリンタカバー２０４には、レシート発行口２０８が設けられている。プリンタカバー２０４の奥側にはレシートプリンタ２５１（図６参照）が上部ハウジング２０２ｂに内蔵され、このレシートプリンタ２５１によって印字される図示しないレシートは、レシート発行口２０８から発行されるように構成されている。プリンタカバー２０４は、上部ハウジング２０２ｂに対して開閉自在に取り付けられ、フラップ２０９の引っ張り操作で開放される。監視カメラ２０５は、プリンタカバー２０４の上方に配置されている。カード読取部２０６は、図示しない非接触ＩＣカードと無線通信を確立し、非接触ＩＣカードに対して情報を読み書きする。非接触ＩＣカードは、一例として現金と等価な価値を有する電子マネーを記憶保存することが可能であり、別の一例として、引き落し銀行口座を特定するための識別番号を記憶保存し、決済に際して利用される。図１中、丸印の中に「ＣＡＲＤ」と記されている部分の奥側に図示しないアンテナが内蔵され、このアンテナを介して非接触ＩＣカードとの間の無線通信が確立される。テンキー２０７は、非接触ＩＣカードでの決済に際して、暗証番号の入力のために用いられる。
【００２２】
上部ハウジング２０２ｂには、液晶表示パネルを有する表示部としてのＬＣＤ２１０が取り付けられている。このＬＣＤ２１０は、その表示面に入力部としてのタッチパネル２１１を有し、右側方にカード読取溝２１２を有する。カード読取溝２１２の内部には、決済部としてのカードリーダライタ２５２（図６参照）が内蔵されている。カードリーダライタ２５２は、クレジットカード等の磁気カードに記録された情報、例えばカード番号や暗証番号を読み取る。
【００２３】
ベースハウジング２０２ａには、硬貨と紙幣との入出金装置２２１（図６参照）が内蔵されている。入出金装置２２１の一部として、ベースハウジング２０２ａの中央上面には硬貨投入口２１３が配置され、その左側には硬貨払出口２１４が配置されている。また、ベースハウジングの前面右上方位置には、紙幣投入口２１５と紙幣払出口２１６とが配置されている。このような入出金装置２２１は、貨幣及び紙幣の取扱いを可能にする機構部とこの機構部を制御する制御部とを有している（いずれも図示せず）。このような機構部の構造及び制御部での処理手順等については、その内容が周知なので、説明を省略する。
【００２４】
さらに、ベースハウジング２０２ａの背面からは、セルフチェックアウト装置１０１の現在の状態を表示する表示ポール２１７が立設されている。この表示ポール２１７は、先端部に青色と赤色とに選択的に発光する発光部２１８を有する。
【００２５】
図４は、秤装置３０１を示す斜視図である。秤装置３０１は、秤ハウジング３０２の上部に秤皿３０３が設けられ、この秤皿３０３に袋保持具３０４が取り付けられて構成されている。秤皿３０３は、その上面に載置台３０３ａを有する。袋保持具３０４は載置台３０３ａに取り付けられている。したがって、袋保持具３０４からすると、秤皿３０３は台座を構成する。つまり、載置台３０３ａの後方中央部にはポール形状のアーム支持部３０５が立設され、このアーム支持部３０５の上端には品物を載置するための一時置き台３０６が固定されている。一時置き台３０６は、上面が平坦面となっており、決済端末２０１のバーコードスキャナ２０３でバーコードを読み取った後の商品を一時的に置く用途で用いられる台である。載置台３０３ａ及び一時置き台３０６は、共に、商品コードが入力された商品を載置するための載置部としての役割を担っている。
【００２６】
このような一時置き台３０６の下面には、一対の保持アーム３０７とフック３０８とが取り付けられている。つまり、一時置き台３０６の下面両端位置には、アーム取付具３０９が固定されている。固定は、例えばネジ止め、接着止め等、各種の固定手法によってなされている。そして、それらのアーム取付具３０９のそれぞれには、保持アーム３０７が埋設されている。また、一時置き台３０６の下面中央位置には、フック取付具３１０が固定されている。固定は、例えばネジ止め、接着止め等、各種の固定手法によってなされている。そして、フック取付具３１０には、フック３０８が埋設されている。
【００２７】
図５は、保持アーム３０７に収納袋としてのレジ袋４０１が保持されている状態を示す斜視図である。保持アーム３０７は、例えばスーパーマーケット等で顧客に提供するビニール袋等のレジ袋４０１、つまり、開口部４０２とこの開口部４０２から突出する一対の把手４０３とを有してこれらの把手４０３が両側に位置付けられるように折り畳まれたレジ袋４０１を保持するために、一対の把手４０３を串刺し状態で保持する。このような保持状態を実現するために、把手４０３にはスリット４０４が形成されている。また、レジ袋４０１には、一対の把手４０３の間に位置させてミシン目４０５で脱落可能な一対の耳部４０６が形成されており、これらの耳部４０６には引掛け穴４０７が形成されている。フック３０８は、引掛け穴４０７を挿通し、これによってレジ袋４０１を保持アーム３０７と共に保持する。
【００２８】
より詳細には、レジ袋４０１は、折り畳まれた状態においては、その耳部４０６に設けられた引掛け穴４０７がフック３０８に引っ掛けられ、保持されている。保持アーム３０７は、このようにフック３０８に保持されている折り畳まれた状態のレジ袋４０１を保持する第１の保持部３１１を根本側に有する。これらのフック３０８及び第１の保持部３１１は、折り畳まれたレジ袋４０１を複数枚積層状態で保持し得るだけの保持容量を有している。保持アーム３０７は、第１の保持部３１１に連続してレジ袋４０１を第１の保持部３１１による保持位置よりも低い位置で開いた状態で保持する第２の保持部３１２を先端側に有する。第２の保持部３１２は、その中央部の高さが高くなる形状、より詳細にはアーチ形状に形成されている。したがって、第２の保持部３１２の両端部の二点は高さが低く、これらの高さが低い二点を繋ぐ中央部はアーチ形状に盛り上がっている。そして、第１の保持部３１１と第２の保持部３１２とは、第１の保持部３１１から第２の保持部３１２に直線的に傾斜する傾斜部３１３で連結されている。更に、第２の保持部３１２の端部、つまり保持アーム３０７の最先端となる部分は、高さが低い部分から斜め上方に向けて上昇している。この上昇部分は、保持したレジ袋４０１の把手４０３を脱落させないようにするための返し部３１４となっている。
【００２９】
図６は、決済端末２０１の電気的なハードウェア構成を示すブロック図である。決済端末２０１は、内部に情報処理部としての制御部２５３を有する。制御部２５３は、例えば動作シーケンスが書き込まれた半導体チップ構成のものであっても、ＲＡＭ２５４等に動作プログラムを記憶させて動作するマイクロコンピュータ構成のものであっても良い。ここでは、マイクロコンピュータ構成の制御部２５３を紹介する。
【００３０】
制御部２５３の中核をなすのはＣＰＵ２５５である。ＣＰＵ２５５には、固定データを固定的に記憶するＲＯＭ２５６と、可変データを書き換え自在に記憶するＲＡＭ２５４と、ＬＣＤ２１０に表示する表示画像を生成するＶＲＡＭ２５７と、ＨＤＤ２５８とがシステムバス２５９を介して接続されている。一例として、ＨＤＤ２５８には、動作プログラム、各種表示フレーム、ＰＬＵファイル、部門ファイル、重量データファイルＷＤＦ（図７参照）、画像ファイル、売上ファイル等の各種ファイル、重量チェック実行有無定義、商品載置場所定義、各種規則情報等（重量データファイルＷＤＦ以外は全て図示せず）が記憶保存されており、これらの動作プログラム、各種表示フレーム、各種ファイル及び各種規則情報等は、その全部又は一部が決済端末２０１の起動時にＲＡＭ２５４に移されて使用される。そして、それらのＰＬＵファイル、重量データファイルＷＤＦ、部門ファイル、画像ファイル、売上ファイル等の各種ファイル、重量チェック実行有無定義、商品載置場所定義、各種規則情報等は、商品データファイルを構成する。
【００３１】
商品データファイルを構成するＰＬＵファイルは、各商品を特定する商品コードに対応させて、単価の他に、商品表示、割引商品の別、割引金額、組合せ割引情報（Ｍ＆Ｍ（ミックス・アンド・マッチ）割引情報、セット割引情報）等を書き換え自在に記憶する。商品表示は、商品コードによって特定される商品の商品名称のテキストデータと、その商品の画像データとを含む。
【００３２】
商品データファイルを構成する部門ファイルは、ＰＬＵファイルに記憶されない各商品についての部門コードに対応させて、その単価、商品表示、割引商品の別、割引金額、組合せ割引情報（Ｍ＆Ｍ（ミックス・アンド・マッチ）割引情報、セット割引情報）等を書き換え自在に記憶する。商品表示は、部門コードによって特定される商品の商品名称のテキストデータと、その商品の画像データとを含む。
【００３３】
図７は、商品データファイルを構成する重量データファイルＷＤＦの一例を示す模式図である。重量データファイルＷＤＦは、ＰＬＵファイル及び部門ファイルに登録されている商品の商品コードに対応させて、設定重量（ｇ）、重量チェック実行有無定義、商品載置場所定義（袋詰めスキップ）、許容値タイプ定義、上限許容値、下限許容値、及び重量更新フラグを記憶している。このような重量データファイルＷＤＦは、別の一例として、ＰＬＵファイル、部門ファイルに含ませても良い。
【００３４】
重量データファイルＷＤＦ中の設定重量（ｇ）には、商品コードで特定される商品の重量の設定値が記憶されている。
【００３５】
重量チェック実行有無定義は、重量チェック実行の別を各商品コードに対応付けて記憶する定義情報である。決済端末２０１の制御部２５３は、重量チェック実行有無定義中、「０」は重量チェックしない、「１」は重量チェックすると解釈する。重量チェックをしない商品は、一例として、軽すぎて秤装置３０１による計量に馴染まない商品、あるいは、重すぎて秤装置３０１の秤皿３０３まで移動させにくい商品である。多くの商品の場合、重量チェックをすることになる。そこで、重量チェックをすることを意味する「１」をデフォルト値とすることができる。
【００３６】
別の一例として、重量チェックをすることの積極的な情報を持たせないようにしても良い。つまり、各商品について、重量チェックをするかしないかの一方だけの情報を持たせれば足りるので、そのような定義の仕方でも良い。このような重量チェック実行有無定義は、別の一例として、ＰＬＵファイルに含ませても良い。
【００３７】
商品載置場所定義（袋詰めスキップ）は、バーコードスキャナ２０３によってバーコードが読み取られた商品の載置場所として、秤皿３０３（袋詰めスキップしない）と一時置き台３０６（袋詰めスキップする（計量））と床面（袋詰めスキップする（重量））とのいずれにすべきかを個々の商品毎に定義する。決済端末２０１の制御部２５３は、重量チェック実行有無定義中、「０」は秤皿３０３（袋詰めスキップしない）、「１」は一時置き台３０６（袋詰めスキップする（計量））、「２」は床面（袋詰めスキップする（重量））と解釈する。
【００３８】
別の一例として、商品載置場所定義をＰＬＵファイルに含ませることも可能である。更に別の一例として、商品の特性、例えば、割れ易い、壊れ易い、型崩れし易い、重い等の特性情報をＰＬＵファイル等に記憶させておき、一例として、割れ易い、壊れ易い、型崩れし易いという特性を持つ商品については一時置き台３０６を載置場所として定義し、重いという特性を持つ商品については床面を載置場所として定義する。更に別の一例としては、重量データファイルＷＤＦに記憶されている重量が規定重量より重い場合のバーコード読み取り後の商品の載置場所として、床面を定義する。
【００３９】
重量データファイルＷＤＦは、商品の載置場所を秤皿３０３（袋詰めスキップしない）と一時置き台３０６（袋詰めスキップする（計量））と床面（袋詰めスキップする（重量））とのいずれにすべきかを積極的に定義している。これに対して、多くの商品の場合、バーコード読み取り後の載置場所が秤皿３０３となる。したがって、別の一例としては、バーコード読み取り後の載置場所が秤皿３０３となる商品については、その旨の格別の情報を持たせる必要はない。したがって、そのような商品については、その旨の格別の情報を設定してもしなくても良い。商品載置場所定義としては、バーコード読み取り後の商品の載置場所が秤皿３０３と一時置き台３０６と床面とのいずれであるかを定義付けていれば十分なので、それらの選択肢のうちの少なくとも二種類の載置場所についての情報のみ有していれば足りることになる。
【００４０】
許容値タイプ定義は、設定重量（ｇ）に対する許容幅を割合とするか上限値及び下限値とするかを決定するための情報である。つまり、重量チェック処理に際しては、秤装置３０１による現実の計量重量と設定重量（ｇ）に記憶されている重量との比較処理を実行することになるが、この際、設定重量（ｇ）に対する許容幅を設定する。この許容幅は、許容値タイプ定義に記憶されている定義に従い、設定重量（ｇ）に記憶されている重量値に対する割合で求められ、あるいは数値設定されている上限値及び下限値で求められる。
【００４１】
上限許容値及び下限許容値は、設定重量（ｇ）に対する許容幅を決定するための数値情報を記憶する。許容値タイプ定義が、設定重量（ｇ）に記憶されている重量値に対する割合を許容幅とする場合には、上限許容値及び下限許容値に記憶される数値は％の数値となる。また、許容値タイプ定義が、設定重量（ｇ）に記憶されている重量値に対する上限値及び下限値は具体的な数値となり、この場合、上限許容値及び下限許容値に記憶される数値は具体的な数値そのものとなる。
【００４２】
制御部２５３には、バーコードスキャナ２０３、ＬＣＤ２１０、タッチパネル２１１、カード読取部２０６、テンキー２０７、カードリーダライタ２５２、レシートプリンタ２５１、監視カメラ２０５、発光部２１８、スピーカ２１９が接続された音響回路２２０、入出金装置２２１との間でのデータ通信を媒介するインターフェース２６０がシステムバス２５９を介して接続され、制御部２５３による制御を受ける。音響回路２２０は、音声合成ＬＳＩを主体として構成され、合成音声及び合成音響を生成してスピーカ２１９から出力させる。これらのスピーカ２１９と音響回路２２０とは音響発生部を構成する。制御部２５３は、それらの各部を制御し、検索処理と重量チェック処理と商品情報登録処理と決済処理とを含む商品販売データ処理を実行する。
【００４３】
検索処理は、バーコードスキャナ２０３によって商品に付されたバーコードが読み取られた場合、このバーコードによって特定される商品コードを認識し、ＰＬＵファイルを検索してその商品コードに対応する単価、重量及び商品表示を取得する。
【００４４】
重量チェック処理は、バーコードの読み取り後に秤装置３０１によって計量された重量が、検索処理によって取得した重量と同一性を有しているかどうかを判定する処理である。同一性を有しているかどうかは、重量データファイルＷＤＦ中、バーコードスキャナ２０３によって読み取られたバーコードによって特定される商品コードに対応させて設定されている設定重量（ｇ）及びその許容幅（許容値タイプ定義、上限許容値及び下限許容値）を検索取得し、計量重量が検索処理によって取得した設定重量（ｇ）の許容幅に収まっているかどうかを判定することによってなされる。
【００４５】
重量チェック処理の別の実施の一形態としては、計量重量同士を比較対照するような手法を採用しても良い。つまり、秤装置３０１とは別個の最初の秤装置（図示せず）を設けておく。この最初の秤装置は、バーコードスキャナ２０３によるバーコードの読み取り前の商品を載置するための最初の載置部（図示せず）を備え、当該最初の載置部に載置された商品の重量を計量し、計量した重量値を決済端末２０１に送信する。そして、決済端末２０１の制御部２５３は、重量チェック処理として、最初の秤装置によって計量された重量と秤装置３０１によって計量された重量との同一性を判定するわけである。
【００４６】
商品情報登録処理は、バーコードスキャナ２０３によって商品に付されたバーコードが読み取られた場合、このバーコードによって特定される商品コードと特定された商品コードに基づいて検索処理によって検索された単価とを含む取引情報をＲＡＭ２５４に一時登録する処理である。
【００４７】
決済処理は、検索処理によって取得した単価に基づいて決済金額を算出し、その決済金額の決済を実行する処理である。決済金額は、タッチパネル２１１での締め操作に応じて必要な消費税計算等を含む売上合計金額を計算することによって算出され、ＲＡＭ２５４等に仮登録するか、あるいは売上ファイルに登録する。決済処理では、算出した決済金額について、現金、クレジットカード等の磁気カード、電子マネー又は銀行口座特定用の識別番号を記憶保存する非接触ＩＣカードを利用した決済を可能にする。現金の扱いは、ベースハウジング２０２ａに設けられた入出金装置２２１で実行され、磁気カードの扱いは、カード読取溝２１２の内部に設けられたカードリーダライタ２５２によって実行され、非接触ＩＣカードの扱いは、カード読取部２０６を介して実行される。
【００４８】
本実施の形態では、商品販売データ処理という概念を、検索処理、重量チェック処理、商品情報登録処理及び決済処理等を含む広義の概念として用いている。そこで、このような広義の意味での商品販売データ処理を支援するために、決済端末２０１の制御部２５３は、ＬＣＤ２１０に操作方法を表示し、顧客の便宜を図る。
【００４９】
制御部２５３にはシステムバス２５９を介して通信インターフェース２６１も接続されている。通信インターフェース２６１は、通信ネットワーク４１に接続され、アテンダント端末５０１及びストアコントローラ３１とセルフチェックアウト装置１０１との間のデータ通信を実現させる。
【００５０】
図８は、秤装置３０１の電気的なハードウェア構成を示す模式図である。秤装置３０１は、ロードセルユニット３５１を有する。ロードセルユニット３５１は、構造及び形状を図示しないロードセルの一端側をベース３５２に固定し、他端側に荷重受け部３５３を有する。荷重受け部３５３には秤フレーム３５４が固定されている。秤フレーム３５４は、図８では図示しないが、平面から見てＸ字形状をしており、四隅に秤皿３０３を載置する。ロードセルユニット３５１の出力信号は、アンプ３５５で増幅され、アナログデジタル変換器（ＡＤ／Ｃ）３５６でデジタル信号に変換され、演算部３５７で解析される。演算部３５７では、ロードセルユニット３５１の出力信号に基づく重量解析がなされる。演算部３５７は、例えば動作シーケンスが書き込まれた半導体チップ構成のものであっても、ＲＡＭ等に動作プログラムを記憶させて動作するマイクロコンピュータ構成のものであっても良い。演算部３５７は、解析結果である重量データを送信部３５８に送信し、送信部３５８を介して決済端末２０１に出力する。
（３）アテンダント端末
図９は、アテンダント端末５０１の電気的なハードウェア構成を示す模式図である。アテンダント端末５０１は、構成的にはマイクロコンピュータである。つまり、情報処理を実行する情報処理部としてのマイクロコンピュータを主体にアテンダント端末５０１が構成されている。そこで、アテンダント端末５０１は、マイクロコンピュータの中核をなすＣＰＵ５０６を有する。そして、このＣＰＵ５０６に対して、固定データを固定的に記憶するＲＯＭ５０７と、可変データを書き換え自在に記憶するＲＡＭ５０８と、ディスプレイ５０３に表示する表示画像を生成するＶＲＡＭ５０９と、ＨＤＤ５１０とがシステムバス５１１を介して接続されている。一例として、ＨＤＤ５１０には動作プログラム、各種表示フレーム及び各種ファイル等（全て図示せず）が記憶保存されており、これらの動作プログラム、各種表示フレーム及び各種ファイル等は、その全部又は一部がアテンダント端末５０１の起動時にＲＡＭ５０８に移されて使用される。
【００５１】
前述したディスプレイ５０３、キーボード５０４及びポインティングデバイス５０５は、インターフェース５１２及び通信インターフェース５１３と共に、システムバス５１１を介してＣＰＵ５０６に接続され、ＣＰＵ５０６による制御を受ける。
【００５２】
通信インターフェース５１３は、通信ネットワーク４１に接続され、セルフチェックアウト装置１０１及びストアコントローラ３１とアテンダント端末５０１との間のデータ通信を実現させる。
２．セルフチェックアウト処理
このような構成において、セルフチェックアウト装置１０１は、セルフチェックアウトを可能にする。この際、決済端末２０１の制御部２５３及び秤装置３０１の演算部３５７は、各種演算処理や各部の駆動制御処理等を実行し、セルフチェックアウト処理を支援する。つまり、決済端末２０１では、そのＬＣＤ２１０に各種のユーザ支援画面を表示し、前述した検索処理、重量チェック処理、商品情報登録処理及び決済処理を実行する。秤装置３０１は、決済端末２０１での重量チェック処理を支援するように、計量した重量の値を送信部３５８から決済端末２０１に送信出力する。以下、処理の流れを示すフローチャート、各種の画面例及び画面遷移例等を用いて、セルフチェックアウト処理の流れを説明する。
（１）セルフチェックアウト処理の基本的ルーチン
図１０は、セルフチェックアウト装置１０１でのセルフチェックアウト処理の流れを示すフローチャートである。決済端末２０１の制御部２５３は、商品コードの入力有無判定に待機している（ステップＳ１１）。商品コードの入力は、バーコードスキャナ２０３によるバーコードの読み取りの他、ＬＣＤ２１０の表示に従ったタッチパネル２１１での入力操作によって行なわれる。
【００５３】
決済端末２０１の制御部２５３は、商品コードの入力を判定すると（ステップＳ１１のＹ）、検索処理を実行する（ステップＳ１２）。その結果、前述したとおり、入力された商品コードに対応する単価、重量及び商品表示が取得される。
【００５４】
決済端末２０１の制御部２５３は、検索処理に続いて、重量チェック処理を実行する（ステップＳ１２）。重量チェック処理は、前述したように、バーコードの読み取り後に秤装置３０１によって計量された重量が、検索処理によって取得した重量と同一性を有しているかどうかを判定する処理である。そこで、重量チェック処理に際しては、バーコードの読み取り後に秤装置３０１によって計量された重量が参照し得る状態となっていなければならない。このような状態を実現するために、秤装置３０１は、随時、その計量結果を決済端末２０１に送信し、決済端末２０１は受信した計量結果を参照し得る状態に保持していなければならない。
【００５５】
図１１は、秤装置３０１からの重量データ受信処理の流れを示すフローチャートである。秤装置３０１は、前述したように、ロードセルユニット３５１による計量結果を重量データとしてセルフチェックアウト装置１０１に送信する。決済端末２０１の制御部２５３は、セルフチェックアウト処理のスタートが指定されると、重量データの受信に待機している（ステップＳ５１）。そして、重量データの受信を判定すると（ステップＳ５１のＹ）、受信した重量データを現在重量としてＲＡＭ２５４に一時記憶する（ステップＳ５２）。図１１に示すフローチャートによる処理を実行するためのトリガとなるセルフチェックアウト処理のスタート指定は、後述する図１４に示す最初の初期ガイダンス画面Ａ（図１４の左から第１列第１行目）中での選択ボタンＡ１のタッチパネル２１１によるタッチ指定等によってなされる。
【００５６】
図１０の参照に戻る。決済端末２０１の制御部２５３は、重量チェック処理に続いて、商品情報登録処理を実行する（ステップＳ１４）。つまり、重量チェック処理を通過した場合には、商品コード及びその単価等の取引情報をＲＡＭ２５４に一時登録する。
【００５７】
決済端末２０１の制御部２５３は、商品情報登録処理に続いて、決済指定の有無を判定する（ステップＳ１５）。決済指定は、ＬＣＤ２１０での表示に従ったタッチパネル２１１での入力操作によって実行される。そして、決済端末２０１の制御部２５３は、決済指定ありの判定をすると（ステップＳ１５のＹ）、前述した決済処理を実行する（ステップＳ１６）。
【００５８】
図１２は、バーコードスキャナ２０３により商品コードが読み取られた第１のタイミングでの確認音の鳴動処理を示すフローチャートである。決済端末２０１の制御部２５３は、バーコードスキャナ２０３によるバーコードの読み取りがあったかどうかの判定に待機している（ステップＳ１０１）。その結果、バーコードの読み取りがあったと判定した場合（ステップＳ１０１のＹ）、確認音の鳴動処理を実行する（ステップＳ１０２）。
【００５９】
この際、ステップＳ１０１の処理では、一例として、バーコードスキャナ２０３によるバーコードの読み取り動作、つまり、バーコードスキャナ２０３がバーコードによって特定されるコードを出力したことをもってバーコードの読み取りありを判定（ステップＳ１０１のＹ）するようにしても、バーコードスキャナ２０３が出力したコードが商品コードであることを制御部２５３が判定したことをもってバーコードの読み取りありを判定（ステップＳ１０１のＹ）するようにしても、いずれでも良い。あるいは、処理上、その他の形態をとる場合であっても、顧客がバーコードスキャナ２０３にバーコードをかざし、それによって生ずる各種の変化が生ずれば、これをもってバーコードの読み取りありを判定（ステップＳ１０１のＹ）することが可能である。
【００６０】
ステップＳ１０２での確認音の鳴動処理は、決済端末２０１の制御部２５３が音響回路２２０に確認音を発生させる指示信号を出力することによってなされる。一例として、制御部２５３が出力する指示信号は、制御部２５３にて発生させる確認音の種類の特定を含んでいても良い。例えば、ステップＳ１０２での制御部２５３が音響回路２２０に出力する指示信号は、音響回路２２０において「ピッ」というような音響を発生させる指示を含む。その結果、制御部２５３からの指示信号を受信した音響回路２２０は、受信した指示信号に応じた合成音声をスピーカ２１９から音響として出力する。
【００６１】
図１３は、商品コード読み取り後の商品が秤装置３０１の載置台３０３ａへ載置された第２のタイミングでの確認音の鳴動処理を示すフローチャートである。図１３（ａ）はその一例、図１３（ｂ）は別の一例をそれぞれ示す。図１３（ａ）及び図１３（ｂ）のフローチャートは、いずれも、袋詰め待ちフェーズにおいて実行される。袋詰め待ちフェーズは、決済端末２０１の制御部２５３が、図１０に示すフローチャート中のステップＳ１１において商品コードの入力ありを判定した後（図１０のステップＳ１１のＹ）、重量チェック処理（図１０のステップＳ１３）が実行される前の段階を意味している。つまり、顧客が例えばバーコードスキャナ２０３によって商品コードの入力操作をした後、秤装置３０１の秤皿３０３における載置台３０３ａに商品を置いてない状態が袋詰め待ちフェーズである。
【００６２】
袋詰め待ちフェーズでは、図１３（ａ）に示すように、決済端末２０１の制御部２５３は、重量変動の有無判定に待機している（ステップＳ２０１）。図１１のフローチャートを参照して既に説明したように、秤装置３０１は、ロードセルユニット３５１による計量結果を重量データとしてセルフチェックアウト装置１０１に適宜送信し、決済端末２０１の制御部２５３は、重量データの受信を判定すると（図１１のステップＳ５１のＹ）、受信した重量データを現在重量としてＲＡＭ２５４に一時記憶する（図１１のステップＳ５２）。そこで、決済端末２０１の制御部２５３は、ＲＡＭ２５４に一時記憶する重量データを参照することで、袋詰め待ちフェーズでの重量変動の有無を認識し得る。そして、そのような重量変動を判定すると（ステップＳ２０１のＹ）、確認音の鳴動処理を実行する（ステップＳ２０２）。ここでの確認音の鳴動処理は、決済端末２０１の制御部２５３が音響回路２２０に確認音を発生させる指示信号を出力することによってなされる。一例として、制御部２５３が出力する指示信号は、制御部２５３にて発生させる確認音の種類の特定を含んでいても良い。例えば、ステップＳ２０２での制御部２５３が音響回路２２０に出力する指示信号は、音響回路２２０において「ポッ」というような音響を発生させる指示を含む。つまり、一例ではあるが、図１２中のステップＳ１０２での指示信号に含まれる確認音の種類指定は、「ピッ」という音響を発生させる指定であるのに対して、図１３中のステップＳ２０２での指示信号に含まれる確認音の種類指定は、「ポッ」という音響を発生させる指定である。その結果、制御部２５３からの指示信号を受信した音響回路２２０は、受信した指示信号に応じた合成音声をスピーカ２１９から音響として出力する。この場合の音響は、一例ではあるが、顧客がバーコードスキャナ２０３にバーコードをかざすことによって発生する「ピッ」という音響とは相違する「ポッ」という音響である。
【００６３】
別の一例として、袋詰め待ちフェーズでは、図１３（ｂ）に示すように、決済端末２０１の制御部２５３は、重量変動の有無判定に待機している（ステップＳ２５１）。決済端末２０１の制御部２５３は、重量変動を判定すると（ステップＳ２５１のＹ）、図１０のステップＳ１３で実行される重量チェック処理の結果を参照し、重量が実質的に一致した場合にのみ（ステップＳ２５２のＹ）、確認音の鳴動処理を実行する（ステップＳ２５３）。
【００６４】
以上、図１２及び図１３のフローチャートを参照して説明したように、決済端末２０１は、バーコードスキャナ２０３により商品コードが読み取られた第１のタイミングと、商品コード読み取り後の商品が秤装置３０１の載置台３０３ａへ載置された第２のタイミングの双方のタイミングで、音響発生部を構成する音響回路２２０によりスピーカ２１９から確認音を発生させることができる。その結果、特に、セルフチェックアウト装置１０１の操作に慣れてバーコードスキャナ２０３による商品コードの読み取り作業と秤装置３０１の載置台３０３ａへの商品コード読み取り後の商品の載置とを流れ作業として行なうことができる顧客に対して、それらの流れ作業にある種のリズムを認識させることができる。つまり、そのような一連の作業をリズミカルなものとすることを支援することができ、そのような繰り返し作業の反射化を促してその効率化を図ることができる。
【００６５】
ここで、前述したように、確認音の種類は、第１のタイミングと第２のタイミングとでその種類が変えられている。つまり、バーコードスキャナ２０３により商品コードが読み取られた第１のタイミングでは「ピッ」という確認音、商品コード読み取り後の商品が秤装置３０１の載置台３０３ａへ載置された第２のタイミングでは「ポッ」という確認音となる。したがって、前記流れ作業の中で、「ピッ」、「ポッ」、「ピッ」、「ポッ」、「ピッ」、「ポッ」、…という確認音のリズムが生れる。このような確認音の変化は、上記一連の作業をより一層リズミカルなものとすることに役立つ。
【００６６】
確認音の変化は、別の一面において、顧客の行為の種類を示すという役割を果たしている。このため、もしもいずれか一方の確認音が鳴らなければ、いずれの作業に不手際があったのかを顧客に知らしめることができる。
【００６７】
なお、本実施の形態では、音響回路２２０に向けて出力する音響回路２２０に確認音を発生させるべき指示信号に確認音の種類を特定する情報を含ませる例について説明した。つまり、この例は、音響回路２２０での合成音声の種類を異ならせる処理の例である。これに対して、別の実施の形態としては、スピーカ２１９を複数個設け、鳴動させるスピーカ２１９を異ならせることで第１のタイミングと第２のタイミングとで確認音の種類を変えるようにしても良い。つまり、音源を異ならせる処理としても良い。更に別の実施の形態としては、そのような合成音声の種類と音源の種類とを組み合わせ、これによって第１のタイミングでの確認音と第２のタイミングでの確認音とを区別可能な態様にしても良い。
【００６８】
また、図１３（ｂ）のフローチャートに示す処理では、図１０のステップＳ１３で実行される重量チェックの結果、商品コードが読み取られた商品の重量と秤装置３０１の載置台３０３ａに載置された商品の計量重量とが実質的に一致した場合にのみ確認音を鳴らすようにしている（ステップＳ２５２、ステップＳ２５３）。つまり、重量チェックを通った場合にのみ確認音を鳴らすわけである。このため、この場合の確認音は、重量チェックが適正であったかかどうかということを顧客に示唆するという意味合いを帯びる。
【００６９】
更に、図１０のステップＳ１３で実行される重量チェック処理は、例えば軽すぎて重量チェックに馴染まないような商品の場合、後述するように、スキップされることがある。このような重量チェックのスキップは、図７に示す重量データファイルＷＤＦ中の重量チェック実行有無定義の規定振りによって制御される。そこで、重量チェック処理のスキップがなされる場合には、第２のタイミングでの確認音を発生させる指示信号の音響回路２２０への出力処理（図１３（ａ）中のステップＳ２０２、図１３（ｂ）中のステップＳ２５３の処理）をスキップするようにしても良い。このような場合には、バーコードスキャナ２０３による商品コードの読み取りと商品コード読み取り後の商品の載置台３０３ａへ載置という一連の流れにおいて、既にそのリズムが崩れている可能性が高いからである。つまり、確認音の鳴動がそのような一連の作業にリズム感を生じさせるものであることを考慮すると、当該一連の作業そのものにおいてリズムが崩れているのであれば、確認音は無用であるからである。
【００７０】
もっとも、重量チェック処理のスキップがなされる場合であっても、確認音を鳴動させることに大きな差し障りがあるわけではなく、確認音を鳴動させる処理としても良い。確認音の鳴動が上記一連の作業にリズム感を生じさせるものであるという側面だけから見れば、当該一連の作業そのものにおいてリズムが崩れているのであれば、確認音は無用である。しかしながら、確認音には、正に行為の確認という意味合いも含まれている。そこで、行為の確認という側面を強調して考えるならば、重量チェック処理のスキップの有無に拘らず確認音を鳴らした方が良いという考え方も成り立つからである。
【００７１】
加えて、セルフチェックアウト装置１０１では、後述する第２の重量チェック処理がなされることがある。この第２の重量チェック処理では、商品コードを読み取らせないプリセット商品をＬＣＤ２１０に表示してタッチパネル２１１によって入力指定するようにした場合、秤装置３０１の出力に基づいて載置台３０３ａに商品が載置されたかどうかを判定し、載置台３０３ａに商品が載置されたことのみをもって重量チェックの適正を判定するわけである。このような場合にも、バーコードスキャナ２０３による商品コードの読み取りと商品コード読み取り後の商品の載置台３０３ａへ載置という一連の流れにおいて、既にそのリズムが崩れている可能性が高いため、第２のタイミングで確認音を鳴動させないようにしても良い。あるいは、確認音が有している行為の確認という意味合いを強調して考えるならば、第２のタイミングで確認音を鳴らすようにしても良い。
（２）セルフチェックアウト処理時の画面遷移
図１４は、セルフチェックアウト装置１０１でのセルフチェックアウト処理実行時における画面遷移例を示す模式図である。顧客は、購入しようとする商品を籠に入れてセルフチェックアウト装置１０１に持ち寄り、商品を籠ごとセルフチェックアウト装置１０１の商品籠載置台１０２に載せる。
【００７２】
この際、決済端末２０１の制御部２５３は、図１４に示すような初期ガイダンス画面Ａ（左から第１列第１行目）を生成し、ＬＣＤ２１０に表示させる。初期ガイダンス画面Ａでは、顧客が持ち運んだ商品の取り扱い方法を案内する。案内される取り扱い方法は、二種類である。一方の取り扱い方法はバーコードスキャナ２０３を用いた商品コード入力であり、もう一つは、タッチパネル２１１からの入力指定である。前者のガイダンスとしては、「バーコードをガラス面にタッチしてください」という文字がその状態を示す絵柄と共に案内される。後者のガイダンスとしては、「バーコードのない商品は次の画面で登録します」という文字が次の画面を示す絵柄と共に案内される。
【００７３】
この際、制御部２５３は、セルフチェックアウト処理をスタートさせる場合、自機が待機中か商品スキャニング中かの稼働状況を示す稼働状況情報として、待機中であることを示す情報を、自機が割り当てられているアテンダント端末５０１に向けて出力する。
【００７４】
初期ガイダンス画面Ａでは、レジ袋を使用するかマイバスケットを使用するかの選択を、二つの選択ボタンＡ１とＡ２とによって可能とする。マイバスケットというのは、顧客自らが所持する買物籠を意味する。選択ボタンＡ１がタッチパネル２１１によってタッチ指定された場合、レジ袋４０１でのセルフチェックアウト処理をスタートさせる。選択ボタンＡ２がタッチパネル２１１によってタッチ指定された場合、マイバスケットでのセルフチェックアウト処理をスタートさせる。
【００７５】
この際、制御部２５３は、セルフチェックアウト処理をスタートさせる場合、自機が待機中か商品スキャニング中かの稼働状況を示す稼働状況情報として、稼動中であることを示す情報を、自機が割り当てられているアテンダント端末５０１に向けて出力する。
【００７６】
図１４は、選択ボタンＡ２がタッチパネル２１１によってタッチ指定され、マイバスケットでのセルフチェックアウト処理をスタートさせる例を示している（図１４の左から第１列第２行目）。レジ袋４０１での処理とマイバスケットでの処理との相違は、秤装置３０１での０点設定である。マイバスケットでの処理を実行する場合、制御部２５３は、秤装置３０１の秤皿３０３に店舗側の籠を載せ、その中にマイバスケットを広げるべきことを示す画像を生成し、ＬＣＤ２１０に表示して顧客に案内する。そして、マイバスケットが選択された後の初期ガイダンス画面Ａ（図１４の左から第１列第２行目）には、セット完了ボタンＡ３と戻るボタンＡ４とが表示される。制御部２５３は、セット完了ボタンＡ３がタッチパネル２１１によってタッチ指定された場合、０点設定を実行すべきことを秤装置３０１に伝達する。戻るボタンＡ４がタッチパネル２１１によってタッチ指定された場合には、最初の初期ガイダンス画面Ａ（図１４の左から第１列第１行目）に戻る。
【００７７】
図１４には図示しないが、最初の初期ガイダンス画面Ａ（図１４の左から第１列第１行目）において選択ボタンＡ１がタッチパネル２１１によってタッチ指定された場合、制御部２５３は、初期ガイダンス画面Ａの表示内容を、レジ袋４０１を使用する場合のガイダンス表示に切替える。このガイダンス表示では、秤装置３０１の袋保持具３０４に保持されているレジ袋４０１を予め開いておくことを案内する。つまり、保持アーム３０７の第１の保持部３１１に閉じられて積層状態で保持されている複数枚のレジ袋４０１から最上位のレジ袋４０１を引っ張り出し、第２の保持部３１２に保持させるよう指示する。この際、レジ袋４０１の耳部４０６は、ミシン目４０５の部分で取り除き、フック３０８に残しておくことができるので、その旨も案内する。このような案内に従いレジ袋４０１を引っ張り出すと、引っ張り出されたレジ袋４０１の把手４０３は、第２の保持部３１２に形成されているアーチ形状の両側の高さが低い二点に位置付けられ、自ずと開口部４０２が開かれる。図１４中には図示しないが、最初の初期ガイダンス画面Ａ（図１４の左から第１列第１行目）において選択ボタンＡ１がタッチパネル２１１によってタッチ指定された場合にも、セット完了ボタンＡ３と戻るボタンＡ４とが表示される。
【００７８】
初期ガイダンス画面Ａ（図１４の左から第１列第１行及び第２行目）には、その左下に中止ボタンＹと呼出ボタンＺとが表示される。中止ボタンＹは、処理の中止を指示するためのボタンであり、呼出ボタンＺは、案内係（アテンダント）の店員を呼び出すためのボタンである。制御部２５３は、それらの中止ボタンＹ及び呼出ボタンＺを、セルフチェックアウト処理の一連の流れに従い遷移する各画面中、必要に応じて生成し、出現させる。
【００７９】
最初の初期ガイダンス画面Ａ（図１４の左から第１列第１行目）において選択ボタンＡ１又はＡ２がタッチパネル２１１によって選択指定された後の初期ガイダンス画面Ａ（例えば、図１４の左から第１列第２行目）において、選択ボタンＡ３がタッチパネル２１１によってタッチ指定されると、制御部２５３は、基本画面Ｂを生成し、ＬＣＤ２１０に表示する（図１４の左から第２列第１行目）。基本画面Ｂは、ガイダンス表示領域Ｂ１とユーザ領域Ｂ２とから構成されている。ガイダンス表示領域Ｂ１は上方位置、ユーザ領域Ｂ２はその下方位置にそれぞれ配列されている。ガイダンス表示領域Ｂ１は、セルフチェックアウトを進めるために必要な各種のガイダンスを表示する。ユーザ領域Ｂ２は、セルフチェックアウトを進めるために必要な各種の操作ボタン及び取引情報を表示する。
【００８０】
商品に付されたバーコードの読み取りに待機する最初の基本画面Ｂ（図１４の左から第２列第１行目）におけるガイダンス表示領域Ｂ１には、「商品のバーコードをガラス面にタッチしてください」という表示がその状態を示す絵柄と共に表示される。
【００８１】
商品に付されたバーコードの読み取りに待機する最初の基本画面Ｂ（図１４の左から第２列第１行目）におけるユーザ領域Ｂ２には、各種の操作ボタンとして、バーコードのない商品を指定するための商品指定ボタンＢ２２が表示され、取引情報として、購入する商品の名称、点数、単価と、購入する商品の合計金額とを含む取引情報Ｂ２１が表示される。図１４に示す最初の基本画面Ｂ（左から第２列第１行目）の画面例では、今までに、ジュースが１点、牛乳が１点、コロッケが３点、それぞれ商品登録された状態を表わしている。購入点数が増えて表示しきれない場合には、取引情報Ｂ２１中のスクロールボタンをタッチパネル２１１によってタッチ指定することによって、スクロール表示可能となっている。また、同画面中、ジュースとコロッケとにはその左側に丸割印が表示されている。これは、割引商品であることを示している。割引商品であるかどうかは、一例として、ＰＬＵファイルに割引情報を持たせることで表示可能となる。
【００８２】
最初の基本画面Ｂ（図１４の左から第２列第１行目）のガイダンス表示領域Ｂ１に表示されているガイダンス表示に従い、顧客は、バーコードスキャナ２０３の前に商品をかざし、商品に付されたバーコードを読み取らせる。これにより、決済端末２０１の制御部２５３は、前述した検索処理を実行し、ＰＬＵファイルから必要な情報を取得する。
【００８３】
この際、制御部２５３は、ＬＣＤ２１０に表示されている基本画面Ｂ中、ユーザ領域Ｂ２の明度を落とし、読取確認画面Ｃを生成し、生成した読取確認画面Ｃをユーザ領域Ｂ２に重ねて表示する（図１４の左から第３列第１行目）。読取確認画面Ｃは、ＰＬＵファイルから検索されたバーコードが読み取られた商品の単価、割引金額、購入点数、購入金額という取引情報を含み、ＰＬＵファイルに記録されている商品表示から引用された当該商品の商品名称のテキストデータに基づく文字と当該商品の画像データに基づく絵柄とを含む。このような読取確認画面Ｃは、例えば、一般的なポップアップ表示技術を用いて表示しても良く、あるいは、基本画面Ｂに読取確認画面Ｃを重ねて表示するような表示フレームを用いる技術を用いても良い。つまり、結果的に、基本画面Ｂに読取確認画面Ｃが重なって表示されていれば良く、そのために採用する表示技術について制約はない。
【００８４】
ここで重要なことは、読取確認画面Ｃは、基本画面Ｂ中のユーザ領域Ｂ２にのみ重ねて表示され、ガイダンス表示領域Ｂ１には重なって表示されない、ということである。これにより、顧客に対して、継続的にガイダンス表示領域Ｂ１でのガイダンス表示を実行することができる。図１４に示す例では、バーコードスキャナ２０３によって商品に付されたバーコードが読み取られた場合、ガイダンス表示領域Ｂ１では、「商品のバーコードをガラス面にタッチしてください」という最初の基本画面Ｂ（図１４の左から第２列第１行目）でのガイダンスから、「商品をレジ袋またはマイバスケットに入れてください」というガイダンスに表示が遷移している（図１４の左から第３列第１行目）。図１４には示さないが、制御部２５３は、文字のみならず、ガイダンス表示領域Ｂ１に表示する絵柄も商品をレジ袋又はマイバスケットに入れる作業を支援する絵柄に遷移させる。読取確認画面Ｃをガイダンス表示領域Ｂ１に重ねずに表示することにより、このようなガイダンス表示領域Ｂ１でのガイダンス表示及びその遷移を、顧客に容易く確認させることが可能となる。
【００８５】
図１５は、一時置き台３０６に載置すべき商品についての基本画面Ｂ及び読取確認画面Ｃを例示する模式図である。前述したように、決済端末２０１は、商品載置場所定義を持つ。そこで、最初の基本画面Ｂ（図１４の左から第２列第１行目）において、商品載置場所定義として一時置き台３０６が定義されている商品のバーコードがバーコードスキャナ２０３によって読み取られた場合、制御部２５３は、ガイダンス表示領域Ｂ１に「商品を一時置き台に置いてください」という文字をそのための作業を支援する絵柄と共に表示する図１５に例示する画像を生成し、ＬＣＤ２１０に表示する。
【００８６】
図１４に基づく説明に戻る。バーコードスキャナ２０３によって商品に付されたバーコードが読み取られた後、制御部２５３は、重量チェック処理に待機している。そのために、商品に付されたバーコードが読み取られた後のガイダンス表示領域Ｂ１には、「商品をレジ袋またはマイバスケットに入れてください」という文字をそのための作業を支援する絵柄と共に示すガイダンスを表示する（図１４の左から第３列第１行目）。あるいは、図１５に例示するように、商品載置場所定義として一時置き台３０６が定義されている場合には、ガイダンス表示領域Ｂ１には、「商品を一時置き台に置いてください」という文字をそのための作業を支援する絵柄と共に示すガイダンスを表示する。
（３）重量チェック処理
（一）基本処理
そこで、それらのガイダンスに従い、顧客は、バーコードスキャナ２０３によってバーコードを読み取らせた商品をレジ袋４０１又はマイバスケットに入れ、あるいは一時置き台３０６に置く。これにより、レジ袋４０１に詰められた商品及び一時置き台３０６に載置された商品は、秤装置３０１の秤皿３０３に荷重をかけることになり、その荷重がロードセルユニット３５１によって計量されることになる。ロードセルユニット３５１による計量結果は、図１１のフローチャートに基づいて前述したように、送信部３５８を介して決済端末２０１に出力される。決済端末２０１は、ロードセルユニット３５１による計量結果を受信し、重量チェック処理を実行する。前述したように、重量チェック処理は、バーコードの読み取り後に秤装置３０１によって計量された重量が、検索処理によってＰＬＵファイルから取得した重量と同一性を有しているかどうかを判定する処理である。
【００８７】
（二）重量チェックエラー
重量チェック処理の結果、両重量間に同一性がないと判定された場合は、何らかの操作ミスか又は不正が行われたことになる。そこで、この場合、制御部２５３は、その旨を顧客にメッセージとして知らせ、表示ポール２１７の先端部に設けられている発光部２１８の発光色を青色から赤色に変更し、何らかの操作ミスか又は不正が行われたことを、例えば案内係（アテンダント）の店員等に向けて報知する。
【００８８】
図１５は、重量チェック処理の結果、バーコードが読み取られていない商品が秤装置３０１の載置部（載置台３０３ａ又は一時置き台３０６）に載置された場合の重量エラー画面Ｄ１の一例を示す模式図である。制御部２５３は、重量チェック処理の結果、秤装置３０１の載置台３０３ａ又は一時置き台３０６に載置された商品の重量が設定重量の許容幅に含まれていないと判定した場合、基本画面Ｂ全体の明度を落とし、図１５に例示するような重量エラー画面Ｄ１を生成し、基本画面Ｂに重ねて表示する。重量エラー画面Ｄ１には、「バーコードが読み取られていない商品が袋に入っています  その商品を取り除いてください」という文字がそのための作業を支援する絵柄と共に表示される。このようなメッセージに従い商品が戻されると、エラーが解除される。その結果、決済端末２０１の制御部２５３は、基本画面Ｂ中のユーザ領域Ｂ２の明度を元に戻し、重量エラー画面Ｄ１を消去する。これにより、ＬＣＤ２１０の表示は、基本画面Ｂ（図１４の左から第３列第１行目）に復帰する。
【００８９】
図１７は、重量チェック処理の結果、載置台から商品が取り去られてしまった場合の重量エラー画面Ｄ２の一例を示す模式図である。セルフチェックアウト装置１０１では、一例として、親がセルフチェックアウト装置１０１を操作している間、秤装置３０１の載置部（載置台３０３ａ又は一時置き台３０６）に一旦載置された商品、例えば菓子類等を子供が持ち去ってしまうようなことが発生し易い。そこで、このような事象が発生した場合、エラー報知を実行する。つまり、この場合、制御部２５３は、表示ポール２１７の先端部に設けられている発光部２１８の発光色を青色から赤色に変更し、当該操作ミスか又は不正が行われたことを、例えば案内係（アテンダント）の店員等に向けて報知する。また、セルフチェックアウト装置１０１のＬＣＤ２１０に表示されている基本画面Ｂ全体の明度を落とし、図１７に例示するような重量エラー画面Ｄ２を生成し、基本画面Ｂに重ねて表示する。重量エラー画面Ｄ２には、「先ほど袋から取り除いた物を袋に戻してください」という文字がそのための作業を支援する絵柄と共に表示される。
【００９０】
（三）重量チェック処理のスキップ
図１８は、重量チェック対象外商品についての基本画面Ｂ及び読取確認画面Ｃを例示する模式図である。前述したように、決済端末２０１は、重量チェック実行有無定義を持つ。そこで、制御部２５３は、重量チェック実行有無定義を参照し、重量チェックをしないと定義付けられた商品については、図１８に例示するように、読取確認画面Ｃに確定ボタンＸを表示し、重量チェック処理をスキップする。そして、読取確認画面Ｃにおいて、確定ボタンＸがタッチパネル２１１によってタッチ指定された場合、制御部２５３は、商品販売データ処理の進行を許容し、基本画面Ｂ中のユーザ領域Ｂ２の明度を元に戻し、読取確認画面Ｃを消去する。これにより、ＬＣＤ２１０の表示は、基本画面Ｂ（図１４の左から第２列第１行目）に復帰する。
【００９１】
このように、重量チェック対象外商品については、重量チェック処理をスキップする。これに対して、顧客に対しては、重量チェック処理をスキップすることを案内する必要はなく、むしろ、案内することによって却って不正行為の引き金ともなりかねない。そこで、図１８（ａ）に示すように、重量チェック処理をスキップするにも拘らず、商品に付されたバーコードが読み取られた後のガイダンス表示領域Ｂ１には、「商品をレジ袋またはマイバスケットに入れ、確定ボタンを押してください」という文字をそのための作業を支援する絵柄と共に示すガイダンスを表示する。このようなガイダンス表示は、「確定ボタンを押してください」というガイダンスを除けば、重量チェック処理をスキップしない商品と同一の表示である。これにより、顧客に対して、重量チェック処理をするのかしないのかを分かりにくくすることができる。
【００９２】
もっとも、図１５に基づいて説明したように、制御部２５３は、商品載置場所定義に従い、ガイダンス表示領域Ｂ１にバーコード読み取り後の商品の載置場所を表示する。そこで、図１８（ｂ）に例示するように、制御部２５３は、床面を載置場所として商品載置場所定義に定義されている商品の場合、ガイダンス表示領域Ｂ１に「商品はレジ袋台の脇に置き、確定ボタンを押してください」という文字をそのための作業を支援する絵柄と共に表示させる。
【００９３】
（重量チェックの別の手法）
前述したように、重量チェック処理は、バーコードの読み取り後に秤装置３０１によって計量された重量が、検索処理によってＰＬＵファイルから取得した重量と同一性を有しているかどうかを判定する処理である。これに対して、秤装置３０１
（４）画面入力による商品情報登録
図１４に基づく説明に戻る。前述したように、最初の初期ガイダンス画面Ａ（図１４の左から第１列第１行目）には、「バーコードのない商品は次の画面で登録します」という文字が「次の画面」を示す絵柄と共に案内される。これを受けて、制御部２５３は、バーコードのない商品を登録するための画像として、基本画面Ｂ（図１４の左から第２列第１行目）中のユーザ領域Ｂ２に、「やさい」、「くだもの」、「そうざい」、「魚貝」、「その他」、「詰合せ」の六種類のタッチボタンからなる商品指定ボタンＢ２２を用意する。そこで、顧客は、購入しようとする商品にバーコードが付されていない場合、商品指定ボタンＢ２２をタッチパネル２１１によってタッチ指定することになる。これらのいずれかの商品指定ボタンＢ２２がタッチパネル２１１によってタッチ指定されると、基本画面Ｂ中のユーザ領域Ｂ２の取引情報Ｂ２１が部門選択画面Ｅに切り替え表示される（９図の左から第２列第２行目）。
【００９４】
図１４に示す部門選択画面Ｅ（左から第２列第２行目）は、「そうざい」がタッチパネル２１１によってタッチ指定された一例を示している。この場合、部門選択画面Ｅとして、「そうざい」の範疇に含まれる各種の食品が４列４行の合計１６種、スクロールボタンによってスクロール可能に表示される。部門選択画面Ｅには、戻るボタンＥ１も表示され、この戻るボタンＥ１がタッチパネル２１１によってタッチ指定された場合には、部門選択画面Ｅが取引情報Ｂ２１に切り替え表示され、基本画面Ｂ（図１４の左から第２列第１行目）の表示に復帰する。
【００９５】
基本画面Ｂ中のユーザ領域Ｂ２の取引情報Ｂ２１が部門選択画面Ｅに切り替え表示された場合（図１４の左から第２列第２行目）、制御部２５３は、ガイダンス表示領域Ｂ１に、「お持ちの商品のボタンを押してください」という文字をそのための作業を支援する絵柄と共に表示する。これにより、顧客は、次にどのような操作をすれば良いのかを知ることができる。
【００９６】
そこで、そのガイダンスに従い、顧客が部門選択画面Ｅ（図１４の左から第２列第２行目）から一つの食品をタッチパネル２１１によってタッチ指定すると、基本画面Ｂ中のユーザ領域Ｂ２に、その食品についての部門登録画面Ｆ（図１４の左から第３列第２行目）が出現する。図１４に示す部門登録画面Ｆ（左から第３列第２行目）は、「玉子トウフ」がタッチ指定された一例を示している。この場合、「玉子トウフ」についての部門登録画面Ｆが出現する。部門登録画面Ｆは、商品の単価、割引金額、購入点数、購入金額という取引情報を含み、当該商品の商品名称のテキストデータに基づく文字と当該商品の画像データに基づく絵柄とを含み、更に、テンキーを含む。テンキーは、デフォルト設定が１点である購入点数の変更入力を可能にする。これらの各種データは、一例として、決済端末２０１においてＰＬＵファイルとは別個に設けられた部門ファイルに記録されている情報から引用される。また、部門登録画面Ｆには、取消しボタンＦ１と決定ボタンＦ２とが含まれている。取消しボタンＦ１がタッチパネル２１１によってタッチ指定された場合、基本画面Ｂのユーザ領域Ｂ２に部門選択画面Ｅが表示された画面（図１４の左から第２列第２行目）に復帰する。
【００９７】
基本画面Ｂ中のユーザ領域Ｂ２に部門登録画面Ｆが表示された場合（図１４の左から第３列第２行目）、制御部２５３は、ガイダンス表示領域Ｂ１に、「点数を変更するときは数字キーから入力し、「決定」ボタンを押してください」という文字をそのための作業を支援する絵柄と共に表示する。これにより、顧客は、次にどのような操作をすれば良いのかを知ることができる。
【００９８】
そこで、そのガイダンスに従い、部門登録画面Ｆ（図１４の左から第３列第２行目）において、必要に応じてテンキーによって購入点数を変更入力した後、決定ボタンＦ２をタッチパネル２１１によってタッチ指定すると、デフォルト又はテンキーによって変更入力された購入点数分だけ、選択した食品、図１４に示す例では「玉子トウフ」についての部門登録が完了する。そこで、制御部２５３は、ＬＣＤ２１０に表示されている基本画面Ｂ中、ユーザ領域Ｂ２の明度を落とし、読取確認画面Ｃを生成し、生成した読取確認画面Ｃをユーザ領域Ｂ２に重ねて表示する（図１４の左から第４列第２行目）。また、制御部２５３は、基本画面Ｂ中のガイダンス表示領域Ｂ１の表示を、「商品をレジ袋またはマイバスケットに入れてください」というガイダンスに表示に遷移させる（図１４の左から第４列第２行目）。図１４には示さないが、制御部２５３は、文字のみならず、ガイダンス表示領域Ｂ１に表示する絵柄も商品をレジ袋又はマイバスケットに入れる作業を支援する絵柄に遷移させる。読取確認画面Ｃをガイダンス表示領域Ｂ１に重ねずに表示することにより、このようなガイダンス表示領域Ｂ１でのガイダンス表示及びその遷移を、顧客に容易く確認させることが可能となる。
【００９９】
ここで、「やさい」、「くだもの」、「そうざい」、「魚貝」、「その他」という五種類の商品指定ボタンＢ２２がタッチパネル２１１によってタッチ指定されて部門登録がなされた場合、つまり、「詰合せ」以外の商品指定ボタンＢ２２がタッチ指定されて部門登録がなされた場合には、基本画面Ｂ中のユーザ領域Ｂ２に読取確認画面Ｃを重ねて表示させた後の処理は、重量チェック処理である。つまり、既に説明したバーコードスキャナ２０３によって商品に付されたバーコードを読み取った場合の処理と共通性を有している。そこで、その後の処理については説明を省略する。
（５）パック詰め商品の商品情報登録
（一）パック詰め商品の入力手法
図１９は、パック詰め商品のセルフチェックアウト処理実行時における画面遷移例を示す模式図である。最初の基本画面Ｂ（図１４の左から第２列第１行目）における商品指定ボタンＢ２２に設定されている「詰合せ」は、パック詰め商品を意味している。つまり、スーパーマーケット等では、揚げ物、天婦羅、焼き鳥等、顧客が自由にパック詰めできるように各種の食品を並べたコーナーを設置するようなことが一般的に行われている。このようなコーナーでパック詰めする商品が「詰合せ」である。
【０１００】
最初の基本画面Ｂ（図１４の左から第２列第１行目）において、「詰合せ」という商品指定ボタンＢ２２がタッチパネル２１１によってタッチ指定されると、制御部２５３は、ＬＣＤ２１０に表示されている基本画面Ｂ中、ユーザ領域Ｂ２の明度を落とし、このユーザ領域Ｂ２に表示されていた取引情報Ｂ２１を部門選択画面Ｅに切り替え表示するよう画面生成を行ない、この部門選択画面ＥをＬＣＤ２１０に表示する（図１９の左から第１列第１行目）。部門選択画面Ｅでは、「詰合せ」の範疇に含まれる各種の食品が４列４行の合計１６種、スクロールボタンによってスクロール可能に表示される。
【０１０１】
基本画面Ｂ中のユーザ領域Ｂ２の取引情報Ｂ２１が部門選択画面Ｅに切り替え表示された場合（図１９の左から第１列第１行目）、制御部２５３は、ガイダンス表示領域Ｂ１に、「お持ちの商品のボタンを押してください」という文字をそのための作業を支援する絵柄と共に表示する。これにより、顧客は、次にどのような操作をすれば良いのかを知ることができる。
【０１０２】
そこで、そのガイダンスに従い、「詰合せ」についての部門選択画面Ｅから一つの食品をタッチパネル２１１によってタッチ指定すると、制御部２５３は、その食品についての部門登録画面Ｆを生成し、基本画面Ｂ中のユーザ領域Ｂ２の明度を落としたまま、ユーザ領域Ｂ２に生成した部門登録画面Ｆを表示させる（図１９の左から第２列第１行目）。図１９は、「コロッケ」がタッチ指定された一例を示している。この場合、「コロッケ」についての部門登録画面Ｆが出現する（図１９の左から第２列第１行目）。部門登録画面Ｆは、商品の単価、割引金額、購入点数、購入金額という取引情報を含み、当該商品の商品名称のテキストデータに基づく文字と当該商品の画像データに基づく絵柄とを含み、更に、テンキーを含む。テンキーは、デフォルト設定が１点である購入点数の変更入力を可能にする。図１９に示す例では、テンキーによって購入点数が２点と変更入力されている。
【０１０３】
基本画面Ｂ中のユーザ領域Ｂ２に部門登録画面Ｆが表示された場合（図１９の左から第２列第１行目）、制御部２５３は、ガイダンス表示領域Ｂ１に、「点数を変更するときは数字キーから入力し、「決定」ボタンを押してください」という文字をそのための作業を支援する絵柄と共に表示する。これにより、顧客は、次にどのような操作をすれば良いのかを知ることができる。
【０１０４】
そこで、そのガイダンスに従い、部門登録画面Ｆ（図１９の左から第２列第１行目）において、必要に応じてテンキーによって購入点数を変更入力した後、決定ボタンＦ２をタッチパネル２１１によってタッチ指定すると、デフォルト又はテンキーによって変更入力された購入点数分だけ、選択した食品、図１９に示す例では「コロッケ」についての部門登録が完了する。その後、制御部２５３は、読取確認画面Ｃ（例えば、図１４の左から第４列第２行目）を表示することなく、再度、部門選択画面Ｅを表示させる（図１９の左から第３列第１行目）。但し、二回目以降の部門選択画面Ｅ（図１９の左から第１列第３行目）では、戻るボタンＥ１に代えて、決定ボタンＥ２が表示される。そこで、決定ボタンＥ２がタッチパネル２１１によってタッチ指定されるまで、繰返し、部門選択画面Ｅに表示される食品を登録することができる。
【０１０５】
二回目以降の部門選択画面Ｅ（図１９の左から第３列第１行目）において、制御部２５３は、ガイダンス表示領域Ｂ１に、「お持ちの商品のボタンを押し、パック内の全ての商品の入力が完了したら「決定」ボタンを押してください」という文字をそのための作業を支援する絵柄と共に表示する。これにより、顧客は、次にどのような操作をすれば良いのかを知ることができる。
【０１０６】
そこで、そのガイダンスに従い、顧客は、自らパック詰めした全ての食品について、部門選択画面Ｅと部門登録画面Ｆとによってその登録のための操作を繰り返す。そして、パック内の全ての食品についての登録作業が終了した場合、顧客は、タッチパネル２１１によって決定ボタンＥ２をタッチ指定する。これにより、制御部２５３は、読取確認画面Ｃを生成し、基本画面Ｂ中のユーザ領域Ｂ２の明度を落としたまま、ユーザ領域Ｂ２に生成した読取確認画面Ｃを重ねて表示する（図１９の左から第３列第２行目）。また、制御部２５３は、基本画面Ｂ中のガイダンス表示領域Ｂ１の表示を、「商品をレジ袋またはマイバスケットに入れてください」というガイダンスに表示に遷移させる（図１９の左から第３列第２行目）。図１９には示さないが、制御部２５３は、文字のみならず、ガイダンス表示領域Ｂ１に表示する絵柄も商品をレジ袋又はマイバスケットに入れる作業を支援する絵柄に遷移させる。読取確認画面Ｃをガイダンス表示領域Ｂ１に重ねずに表示することにより、このようなガイダンス表示領域Ｂ１でのガイダンス表示及びその遷移を、顧客に容易く確認させることが可能となる。
【０１０７】
（二）第２の重量チェック処理
この後、重量チェック処理が実行される。この場合、パック詰め商品のセルフチェックアウト処理においては、前述した重量チェック処理とは異なる重量チェック処理を実行する。便宜上、前述した重量チェック処理を第１の重量チェック処理と呼び、「詰合せ」の商品についての重量チェック処理を第２の重量チェック処理と呼ぶことにする。
【０１０８】
前述したように、最初の基本画面Ｂ中のユーザ領域Ｂ２（図１４の左から第２列第１行目）には、バーコードのない商品を登録するために「やさい」、「くだもの」、「そうざい」、「魚貝」、「その他」、「詰合せ」の六種類のタッチボタンからなる商品指定ボタンＢ２２が表示される。これらの商品指定ボタンＢ２２のタッチ指定に基づいて最終的に指定される商品は、ＰＬＵファイルには設定されず、部門ファイルに設定されているプリセット商品である。これらの商品のうちでも、「やさい」、「くだもの」、「そうざい」、「魚貝」、「その他」のタッチボタンからなる商品指定ボタンＢ２２のタッチ指定に基づいて最終的に指定されるプリセット商品については、部門ファイル中、対応する重量データを設定している。そこで、第１の重量チェック処理が可能である。これに対して、「詰合せ」のタッチボタンからなる商品指定ボタンＢ２２のタッチ指定に基づいて最終的に指定されるプリセット商品については、部門ファイル中、対応する重量データを設定していない。このため、第１の重量チェック処理を実行することができず、第２の重量チェック処理を実行することになる。
【０１０９】
第２の重量チェック処理では、秤装置３０１からの出力に基づいて秤皿３０３に商品が載置されたかどうかを判定する。つまり、秤装置３０１において、計量重量が少しでも増えたら、登録済みのパック詰め商品が正しくレジ袋４０１又はマイバスケットに入れられ、あるいは一時置き台３０６に置かれと判定する。いわば、簡易な重量チェック処理を実行する。
【０１１０】
この場合、顧客に対しては、秤皿３０３に商品が載置されたかどうかを判定するに過ぎない第２の重量チェック処理を実行したかどうかを案内する必要はなく、むしろ、案内することによって却って不正行為の引き金ともなりかねない。そこで、基本画面Ｂ中のユーザ領域Ｂ２に読取確認画面Ｃを重ねて表示する待機画面（図１９の左から第３列第２行目）において、ガイダンス表示領域Ｂ１には、「商品をレジ袋またはマイバスケットに入れてください」という第１の重量チェックを行なう場合と同一のガイダンスを表示する。これにより、顧客に対して、簡易な重量チェック処理がなされているに過ぎないことを知らせないようにすることができる。
【０１１１】
もっとも、本実施の形態のセルフチェックアウト装置１０１でのセルフチェックアウト操作は、バーコードスキャナ２０３によって商品に付されたバーコードを読み取らせ、バーコードを読み取らせた商品をレジ袋４０１又はマイバスケットに入れ、あるいは一時置き台３０６に置く、という操作を基本としている。このため、商品指定ボタンＢ２２のタッチ指定に基づいて最終的に登録されるプリセット商品の場合、通常とは異なる操作を要求することになる。このような操作上の相違から、顧客は、登録済みのパック詰め商品をレジ袋４０１又はマイバスケットに入れ、あるいは一時置き台３０６に置いた後、未登録の商品を間違ってレジ袋４０１又はマイバスケットに入れ、あるいは一時置き台３０６に置いてしまうようなこと、いわば二度置きの発生が予想される。このような二度置きが発生した場合、プリセット商品のうちでも、第１の重量チェック処理を実行する商品についてはエラーとなるため、大きな問題は発生しない。
【０１１２】
これに対して、プリセット商品のうち、第２の重量チェック処理を実行する商品、本実施の形態ではパック詰め商品の場合、秤皿３０３に商品が載置されたかどうかを判定するに過ぎないいわば簡易な重量チェック処理である第２の重量チェック処理を実行するため、未登録商品の二度置きが発生しても、これをエラーとすることができない。この場合、秤装置３０１からの出力に基づいて重量増を認識した後、更に重量増を認識した場合にはエラーとする、という対策も考えられる。しかしながら、秤装置３０１は、その秤皿３０３に品物が載置された後、振動が収まるまでの所定時間、計量を実行することができない。このため、振動が収まるまでの所定時間以上を待機時間として設定する必要があり、この待機時間内に二度置きが発生した場合には、やはりこれをエラーとすることができない。
【０１１３】
そこで、本実施の形態では、第２の重量チェックを実行する商品については、秤装置３０１によって計量された重量が規定値を超えたかどうかを判定し、超えた場合にはエラーとする、という処理を実行する。これにより、パック詰め商品に続いて商品が二度置きされた場合、その合計重量が規定重量を超えれば、エラーとすることが可能となる。このようなエラーが発生した場合、制御部２５３は、一例として、図１５に例示するような重量エラー画面Ｄ１を基本画面Ｂに重ねて表示する画面をＬＣＤ２１０に表示しても良い。
（６）中止指定
図２０は、中止ボタンＹが押された場合に出現する中止画面の一例を示す模式図である。各画面に表示される中止ボタンＹがタッチパネル２１１によってタッチ指定された場合、制御部は、図２０に例示するような中止画面Ｈを生成し、基本画面Ｂの全体の明度を落とし、ユーザ領域Ｂ２に生成した中止画面Ｈを重ねて表示する。中止画面Ｈには、「お買い物をやめてもよろしいですか？」という文字と共に、「はい」と「いいえ」と表示された二つの選択ボタンＨ１とＨ２が表示され、更に、呼出ボタンＺも表示される。「はい」と表示された選択ボタンＨ１がタッチパネル２１１によってタッチ指定されると、制御部２５３は、全ての処理を中止し、ＬＣＤ２１０の表示を最初の初期ガイダンス画面Ａ（図１４の左から第１列第１行目）に戻す。これに対して、「いいえ」と表示された選択ボタンＨ２がタッチパネル２１１によってタッチ指定されると、制御部２５３は、処理を直前状態に復帰させる。
（７）呼出指定
図２１は、呼出ボタンＺが押された場合に出現する店員呼出画面の一例を示す模式図である。各画面に表示される呼出ボタンＺがタッチパネル２１１によってタッチ指定された場合、制御部は、図２１（ａ）に例示するような店員呼出画面Ｉを生成し、基本画面Ｂの全体の明度を落とし、ユーザ領域Ｂ２に生成した店員呼出画面Ｉを重ねて表示する。店員呼出画面Ｉには、「店員を呼び出します。よろしいですか？」という文字と共に、「はい」と「いいえ」と表示された二つの選択ボタンＩ１とＩ２が表示される。「はい」と表示された選択ボタンＩ１がタッチパネル２１１によってタッチ指定されると、制御部２５３は、店員呼出画面Ｉを図２１（ｂ）に例示するように遷移させる。図２１（ｂ）に示す店員呼出画面Ｉでは、「ただ今店員がまいります。そのままお待ちください」という文字と共に、「呼出しを中止します」と表示された呼出中止ボタンＩ３が表示される。そこで、呼出中止ボタンＩ３がタッチパネル２１１によってタッチ指定されると、制御部２５３は、店員の呼出処理を実行する。呼出処理として、制御部２５３は、自機が割り当てられているアテンダント端末５０１に向けて店員呼出情報を出力する。これに対して、「いいえ」と表示された選択ボタンＩ２がタッチパネル２１１によってタッチ指定されると、制御部２５３は、店員の呼び出し処理を中止して処理を直前状態に復帰させる。
（８）組合せ割引（セット割引）
図２２は、組合せ割引（セット割引）が成立する場合のセルフチェックアウト処理実行時における画面遷移例を示す模式図である。図２２は、ヨーグルト、牛バラ肉、ヨーグルト、ヨーグルトの順番でそのバーコードをバーコードスキャナ２０３に読み取らせた一例を示している。一例として、ヨーグルト３個でセット割引が成立し、セット割引が成立した場合には１個分の値引きをする場合を想定すると、図２２に示す一例では、セット割引が成立している。そこで、図２２中、バーコードの読み取り後に重量チェック処理がなされてＬＣＤ２１０に表示される基本画面Ｂの遷移を参照すると、ユーザ領域Ｂ２に表示されている取引情報Ｂ２１における合計金額として、最初のヨーグルト（単価１５０円）の登録後は１５０円、続く牛バラ肉（単価４８０円）の登録後は６３０円（１５０円＋４８０円）、二つ目のヨーグルト（単価１５０円）の登録後は７８０円（１５０円＋４８０円＋１５０円）、そして、三つ目のヨーグルト（単価１５０円）の登録後は７８０円（１５０円＋４８０円＋１５０円＋１５０円−１５０円）となる。ヨーグルト３個でセット割引が成立したため、制御部２５３は、ヨーグルト１個分の単価である１５０円を値引き処理し、ユーザ領域Ｂ２に表示される取引情報Ｂ２１の「セット値引計」として−１５０円を表示している（図２２の左から第４列第２行目）。
【０１１４】
図２２中、ユーザ領域Ｂ２に表示される取引情報Ｂ２１には、セット割引の対象商品であるヨーグルトに丸得印を付して表示している。これは、ＰＬＵファイルに記憶されているセット割引情報に基づいて表示される。制御部２５３は、Ｍ＆Ｍ対象商品であることをＰＬＵファイルのセット割引情報に基づいて認識し、セット割引処理を実行する。
【０１１５】
以上、図２２ではセット割引についての画面遷移例を示したが、Ｍ＆Ｍ（ミックス・アンド・マッチ）割引の場合にも同様な処理が実行される。
（９）決済
図１４に基づく説明に戻る。基本画面Ｂ中のユーザ領域Ｂ２（図１４の左から第２列第１行目）には、「お会計」と表示された会計ボタンＢ２３が表示されている。この会計ボタンＢ２３のタッチ指定は、締め指定を意味する。そこで、タッチパネル２１１により会計ボタンＢ２３がタッチ指定されると、制御部２５３は、決済処理を実行する。つまり、制御部２５３は、会計画面Ｊを生成し、ユーザ領域Ｂ２に表示する（図１４の左から第２列第３行目）。会計画面Ｊは、合計金額の表示と、支払方法の選択ボタンＪ１〜Ｊ５と、最初の基本画面Ｂ（図１４の左から第２列第３行目）に戻るための「明細画面に戻る」と表示された戻るボタンＪ６とを含んでいる。選択ボタンＪ１は現金、選択ボタンＪ２はクレジット、選択ボタンＪ３は電子マネー型の非接触ＩＣカード、選択ボタンＪ４は銀行口座引き落し型の非接触ＩＣカード、選択ボタンＪ５は商品券・クーポンをそれぞれ選択指定する。
【０１１６】
ユーザ領域Ｂ２に会計画面Ｊを表示する場合、制御部２５３は、ガイダンス表示領域Ｂ１に、「次のカードでお支払いできます」というカード決済についての示唆を表示する。また、制御部２５３は、入出金装置２２１の図示しない制御部から金種毎のニアエンプティ情報、エンプティ情報、ニアフル情報、フル情報を受信している。そこで、制御部２５３は、受信した金種毎のニアエンプティ情報及びエンプティ情報に基づく釣銭情報をガイダンス表示領域Ｂ１に表示する。図１４に示す一例では、１０，０００円が釣銭切れとなっていることがガイダンス表示領域Ｂ１に表示されている（左から第２列第３行目）。
【０１１７】
図２３は、現金によるチェックアウト処理実行時における画面遷移例を示す模式図である。基本画面Ｂのユーザ領域Ｂ２に表示された会計画面Ｊ（図１４の左から第２例第３行目）において、現金を選択するための選択ボタンＪ１がタッチパネル２１１によってタッチ指定された場合（図２３の左から第１列第１行目）、制御部２５３は、ガイダンス画面Ｋを生成し、基本画面Ｂのユーザ領域Ｂ２に表示する（図２３の左から第２列第１行及び第３列第１行目）。ガイダンス画面Ｋは、入出金装置２２１に対して現金が未投入の場合、「お金を投入してください」という文字とそのための操作を顧客に示す絵柄とを含んだガイダンスを決済状況と共に表示する（図２３の左から第２列第１行目）。そして、現金が投入されると、ガイダンス画面Ｋのガイダンスは、「お金を投入してください  お支払いのときは「確認」ボタンを押してください」というガイダンスに遷移し、投入金額確認ボタンＫ１が出現する（図２３の左から第３列第１行目）。この際、制御部２５３は、基本画面Ｂのガイダンス表示領域Ｂ１に、利用できる紙幣についての情報をガイダンス表示する。
【０１１８】
制御部２５３は、ガイダンス画面Ｋに出現した投入金額確認ボタンＫ１がタッチ指定されると、基本画面Ｂの全体の明度を落として決済確認画面Ｌを重ねて表示する（図２３の左から第３列第２行目）。決済確認画面Ｌは、「はい」と「いいえ」と表示された選択ボタンＬ１とＬ２を有する。制御部２５３は、「いいえ」に対応する選択ボタンＬ２がタッチ指定されると直前のガイダンス画面Ｋ（図２３の左から第３列第１行目）に戻り、「はい」に対応する選択ボタンＬ１がタッチ指定されると、「お釣とレシートをお取りください」というガイダンスを表示する決済終了画面Ｍ（図２３の左から第４列第２行目）から最終画面Ｎ（図２３の左から第４列第３行目）に順に画面表示を遷移させる。決済終了画面Ｍから最終画面Ｎへの画面遷移はタイマ処理による。
【０１１９】
図２４は、クレジットカードによるチェックアウト処理実行時における画面遷移例を示す模式図である。基本画面Ｂのユーザ領域Ｂ２に表示された会計画面Ｊ（図１４の左から第２例第３行目）において、クレジットを選択するための選択ボタンＪ２がタッチパネル２１１によってタッチ指定された場合（図２４の左から第１列第１行目）、制御部２５３は、ガイダンス画面Ｋを生成し、基本画面Ｂのユーザ領域Ｂ２に表示する（図２４の左から第１列第２行及び第１列第３行目）。ガイダンス画面Ｋは、一括／リボ払い確認ボタンＫ２を含み（図２４の左から第１列第２行）、この一括／リボ払い確認ボタンＫ２のタッチ指定によって基本画面Ｂの全体の明度を落とした一括払いとリボ払いとを選択できる画面に遷移する（図２４の左から第１列第３行目）。
【０１２０】
そこで、顧客は、一括払いかリボ払いかを選択し、決済端末２０１のＬＣＤ２１０に設けられたカード読取溝２１２に沿ってクレジットカードを走査する。カードリーダライタ２５２によってクレジットカードの磁気ストライプに記録されている情報が正しく読み取られると、制御部２５３は、基本画面Ｂの全体の明度を落として決済確認画面Ｌを重ねて表示する（図２４の左から第２列第２行目）。クレジットカードの磁気ストライプに記録されている情報が正しく読み取られなかった場合には、再度の走査が促される（図２４の左から第２列第３行目）。
【０１２１】
決済確認画面Ｌは、「はい」と「いいえ」と表示された選択ボタンＬ１とＬ２を有する。制御部２５３は、「いいえ」に対応する選択ボタンＬ２がタッチ指定されると直前のガイダンス画面Ｋ（図２４の左から第３列第１行目）に戻り、「はい」に対応する選択ボタンＬ１がタッチ指定されると、「ただ今認証中です  少々お待ち下さい」という認証中画面Ｏに表示画面を画面遷移させ（図２４の左から第３列第２行目）、認証処理を実行する。その後、制御部２５３は、認証が得られなかった場合には、認証拒否画面Ｐに表示画面を画面遷移させる（図２４の左から第３列第２行目）。一方、認証が得られた場合には、制御部２５３は、「レシートをお取りください」というガイダンスを表示する決済終了画面Ｍ（図２４の左から第４列第２行目）から最終画面Ｎ（図２４の左から第４列第３行目）に順に画面表示を遷移させる。決済終了画面Ｍから最終画面Ｎへの画面遷移はタイマ処理による。
【０１２２】
以上、現金決済の場合（図２３）とクレジット決済の場合（図２４）とを例に挙げて説明した。基本画面Ｂのユーザ領域Ｂ２に表示された会計画面Ｊ（図１４の左から第２例第３行目）において、電子マネー型の非接触ＩＣカードを選択するための選択ボタンＪ３又は銀行口座引き落し型の非接触ＩＣカードを選択するための選択ボタンＪ４がタッチパネル２１１によってタッチ指定された場合にも、類似の手法による決済処理が可能となる。つまり、決済端末２０１では、顧客がタッチパネル２１１によって会計ボタンＢ２３をタッチ指定することにより締め指定をすると、制御部２５３は、商品販売データ処理で算出した決済金額について、現金、クレジットカード等の磁気カード、電子マネー型の非接触ＩＣカード、銀行引き落し型の非接触ＩＣカードを利用した決済処理を実行する。
【０１２３】
図２５は、商品券又はクーポンを利用する場合のチェックアウト処理実行時における画面遷移例を示す模式図である。商品券又はクーポンは、上記いずれの方法で決済する場合にも使用可能である。この場合、図２５に示すように、店員を呼び出し、店員による操作が必要とされる。そのために、決済端末２０１では、店員を呼び出して良いかどうかの問い合わせ画面（図２５の左から第２列第１行目）から待機画面となり（図２５の左から第３列第１行目）、その後、チェッカーモードとなる。チェッカーモードとなった場合、制御部２５３は、チェッカーモード待機画面Ｑ（図２５の左から第４列第１行目）に画面表示を遷移させる。
（１０）チェッカーモード
図２６は、チェッカーモード待機画面Ｑを例示する模式図である。商品券又はクーポンを利用する場合に限らず、店員による操作を必要とするチェッカーモードに移行する場合、制御部２５３は、表示画面をチェッカーモード待機画面Ｑにする。このチェッカーモード待機画面Ｑが表示されている場合、バーコードスキャナ２０３によって店員用バーコードが読み取られた場合にのみ、機器の動作モードがチェッカーモードにされ、店員による操作が可能となる。制御部２５３は、ＬＣＤ２１０にチェッカーモード待機画面Ｑを表示している場合、顧客による操作を受け付けない。
【０１２４】
図２７は、チェッカーモードでの画面遷移例を示す模式図である。制御部２５３は、チェッカーモード待機画面ＱをＬＣＤ２１０に表示している場合、バーコードスキャナ２０３によって店員用バーコードが読み取られると、画面表示をチェッカーモード初期画面Ｒとし（図２７の左から第１列第１行目）、店員による操作を可能とする。チェッカーモード初期画面Ｒには、釣銭補充ボタンＲ１、会計操作ボタンＲ２、メンテナンスモードボタンＲ３がタッチ指定可能に表示され、「スタート画面に戻る」と「元の画面に戻る」という二種類の戻るボタンＲ４とＲ５とがタッチ指定可能に表示されている。そこで、タッチパネル２１１によって釣銭補充ボタンＲ１、会計操作ボタンＲ２又はメンテナンスモードボタンＲ３をタッチ指定すると、釣銭補充、会計操作、メンテナンスをそれぞれ実行することが可能となる。
【０１２５】
釣銭補充ボタンＲ１をタッチ指定することによる釣銭補充では、「釣銭を補充／復旧操作が終わりましたら、完了ボタンを押してください」というメッセージ表示と共に、完了ボタンＲ６が表示され（図２７の左から第１列第２行目）、入出金装置２２１に対する釣銭の補充作業等が可能となる。
【０１２６】
会計操作ボタンＲ２をタッチ指定することによる会計操作は、例えば前述した商品券又はクーポンを利用する場合のチェックアウト処理に際して利用され、テンキーによる預かり金額の入力が可能となる（図２７の左から第２列第２行目）。そこで、釣銭の金額を入力すれば、制御部２５３は、「お釣りとレシートをお取りください」というガイダンスを表示する決済終了画面Ｍ（図２７の左から第２列第３行目）から最終画面Ｎ（図２７の左から第３列第３行目）に順に画面表示を遷移させ、決済処理を終了させることができる。
【０１２７】
メンテナンスモードボタンＲ３をタッチ指定することによるメンテナンスモードでは、各種のメンテナンスが可能となる。
【図面の簡単な説明】
【０１２８】
【図１】本発明の実施の一形態として、全体のシステム構成を示す模式図である。
【図２】セルフチェックアウトシステムでの各部の配置状態を示す平面図である。
【図３】セルフチェックアウト端末を示す斜視図である。
【図４】秤装置を示す斜視図である。
【図５】保持アームにレジ袋が保持されている状態を示す斜視図である。
【図６】決済端末の電気的なハードウェア構成を示すブロック図である。
【図７】商品データファイル（重量データファイル）の一例を示す模式図である。
【図８】秤装置の電気的なハードウェア構成を示す模式図である。
【図９】アテンダント端末の電気的なハードウェア構成を示す模式図である。
【図１０】セルフチェックアウト端末でのセルフチェックアウト処理の流れを示すフローチャートである。
【図１１】重量チェック処理に含まれている秤装置からの重量データ受信処理の流れを示すフローチャートである。
【図１２】商品コード読取部（バーコードスキャナ）により商品コードが読み取られた第１のタイミングでの確認音の鳴動処理を示すフローチャートである。
【図１３】商品コード読み取り後の商品が載置部（載置台）へ載置された第２のタイミングでの確認音の鳴動処理を示すフローチャートである。
【図１４】セルフチェックアウト端末でのセルフチェックアウト処理実行時における画面遷移例を示す模式図である。
【図１５】一時置き台に載置すべき商品についての基本画面及び読取確認画面を例示する模式図である。
【図１６】重量チェック処理の結果、バーコードが読み取られていない商品が秤装置の載置部に載置された場合の重量チェックエラー画面の一例を示す模式図である。
【図１７】重量チェック処理の結果、載置台から商品が取り去られてしまった場合の重量チェックエラー画面の一例を示す模式図である。
【図１８】重量チェック対象外商品についての基本画面及び読取確認画面を例示する模式図である。
【図１９】パック詰め商品のセルフチェックアウト処理実行時における画面遷移例を示す模式図である。
【図２０】中止ボタンが押された場合に出現する中止画面の一例を示す模式図である。
【図２１】呼出ボタンが押された場合に出現する店員呼出画面の一例を示す模式図である。
【図２２】組合せ割引（セット割引）が成立する場合のセルフチェックアウト処理実行時における画面遷移例を示す模式図である。
【図２３】現金によるチェックアウト処理実行時における画面遷移例を示す模式図である。
【図２４】クレジットカードによるチェックアウト処理実行時における画面遷移例を示す模式図である。
【図２５】商品券又はクーポンを利用する場合のチェックアウト処理実行時における画面遷移例を示す模式図である。
【図２６】チェッカーモード待機画面を例示する模式図である。
【図２７】チェッカーモードでの画面遷移例を示す模式図である。
【符号の説明】
【０１２９】
２０１…決済端末、２０３…バーコードスキャナ（商品コード読取部、ユーザインターフェース）、２０６…カード読取部（決済部、ユーザインターフェース）、２０７…テンキー（入力部、ユーザインターフェース）、２１０…ＬＣＤ（表示部、ユーザインターフェース）、２１１…タッチパネル（入力部、ユーザインターフェース）、２１９  スピーカ（音響発生部）、２２０  音響回路（音響発生部）、２２１…入出金装置（決済部、ユーザインターフェース）、２５２…カードリーダライタ（決済部、ユーザインターフェース）、２５３…制御部（情報処理部）、２５４…ＲＡＭ（記憶部）、３０１…秤装置、３０３ａ…載置台（載置部）、３０６…一時置き台（載置部）、ＷＤＦ…重量データファイル（商品データファイル）
【図１】
2007323419.tif 000003
【図２】
2007323419.tif 000004
【図３】
2007323419.tif 000005
【図４】
2007323419.tif 000006
【図５】
2007323419.tif 000007
【図６】
2007323419.tif 000008
【図７】
2007323419.tif 000009
【図８】
2007323419.tif 000010
【図９】
2007323419.tif 000011
【図１０】
2007323419.tif 000012
【図１１】
2007323419.tif 000013
【図１２】
2007323419.tif 000014
【図１３】
2007323419.tif 000015
【図１４】
2007323419.tif 000016
【図１５】
2007323419.tif 000017
【図１６】
2007323419.tif 000018
【図１７】
2007323419.tif 000019
【図１８】
2007323419.tif 000020
【図１９】
2007323419.tif 000021
【図２０】
2007323419.tif 000022
【図２１】
2007323419.tif 000023
【図２２】
2007323419.tif 000024
【図２３】
2007323419.tif 000025
【図２４】
2007323419.tif 000026
【図２５】
2007323419.tif 000027
【図２６】
2007323419.tif 000028
【図２７】
2007323419.tif 000029